(57)【要約】      （修正有）【課題】本願明細書は、ＳＰＳ通信の送信及び受信のための方法、システム、及び装置を提供する。【解決手段】ＣｏＭＰ送受信のために構成されたユーザ機器（ＵＥ）は、第１のサブフレーム内で、ＳＰＳ開始に対応すると共にｎＳＣＩＤを伝達するＰＤＣＣＨ／ＥＰＤＣＣＨを受信する。ＵＥは、ＳＰＳ開始に基づき、対応するＰＤＣＣＨ／ＥＰＤＣＣＨを有しないＳＰＳ  ＰＤＳＣＨを受信するために、第２のサブフレーム内でダウンリンク割り当てを構成し、それと関連するＳＰＳ開始に対応するＰＤＣＣＨ／ＥＰＤＣＣＨから引き出されたｎＳＣＩＤを用いてＳＰＳ  ＰＤＳＣＨに対応する参照信号シーケンスを決定し、第２のサブフレーム内でＳＰＳ  ＰＤＳＣＨを受信する。ＵＥは、前記引き出されたｎＳＣＩＤを用いて第２のサブフレーム内のＳＰＳ  ＰＤＳＣＨの参照信号シーケンスに基づきＳＰＳ  ＰＤＳＣＨを処理する。【選択図】図６
2020120378.tif 000002
【特許請求の範囲】
【請求項１】
装置であって、
少なくとも１つの基地局から第１のサブフレーム内で、ＳＰＳ（semi−persistent  scheduling）開始に対応するＰＤＣＣＨ／ＥＰＤＣＣＨ（physical  downlink  control  channel又はenhanced  physical  downlink  control  channel）を受信する手段であって、前記ＰＤＣＣＨ／ＥＰＤＣＣＨはｎＳＣＩＤの値を伝達する、手段と、
前記ＳＰＳ開始に基づき、第２のサブフレーム内のダウンリンク（ＤＬ）割り当てを構成する手段であって、前記装置は送信モード１０（ＴＭ１０）のために構成される、手段と、
前記少なくとも１つの基地局から前記第２のサブフレーム内で、ユーザ機器（ＵＥ）固有参照信号を受信する手段であって、前記ＵＥ固有参照信号は、前記第２のサブフレーム内のＳＰＳ  ＰＤＳＣＨ（SPS  physical  downlink  shared  channel）に関連付けられ、前記ＳＰＳ  ＰＤＳＣＨは対応するＰＤＣＣＨ／ＥＰＤＣＣＨを有しない、手段と、
前記第１のサブフレーム内のＳＰＳ開始に対応する前記ＰＤＣＣＨ／ＥＰＤＣＣＨから得た前記ｎＳＣＩＤの値を用いて、前記第２のサブフレーム内の前記ＵＥ固有参照信号に対応する参照信号シーケンスを決定する手段と、
前記ＵＥ固有参照信号及び前記参照信号シーケンスに基づき、前記ＳＰＳ  ＰＤＳＣＨを処理する手段と、
を有する装置。
【請求項２】
前記装置は、ＣｏＭＰ（coordinated  multipoint）送信又は受信のために構成され、
前記ＳＰＳ  ＰＤＳＣＨ及びＳＰＳ開始に対応する前記ＰＤＣＣＨ／ＥＰＤＣＣＨのうちの１又は複数はＣｏＭＰ送信を有する、請求項１に記載の装置。
【請求項３】
ダウンリンク制御情報（ＤＣＩ）フォーマットを監視する手段であって、前記ｎＳＣＩＤの値を伝達する前記ＰＤＣＣＨ／ＥＰＤＣＣＨは、ＤＣＩフォーマット２Ｄを有するＰＤＣＣＨ／ＥＰＤＣＣＨである、手段、
を更に有する請求項１に記載の装置。
【請求項４】
前記参照信号シーケンスを決定する手段は、仮想セル識別子ｎ（ｎＳＣＩＤ）ＩＤ及びｎＳＣＩＤの値に基づき、前記参照信号シーケンスを生成する手段を有する、請求項１に記載の装置。
【請求項５】
前記ｎ（ｎＳＣＩＤ）ＩＤは、物理層より上の層におけるシグナリングにより構成される、請求項４に記載の装置。
【請求項６】
ＰＤＳＣＨリソースエレメント（ＲＥ）マッピング及び地理的同一指示子（ＰＱＩ）の値により示される送信パラメータセットに基づき前記ＳＰＳ  ＰＤＳＣＨを処理する手段であって、前記ＰＱＩの値は、ＳＰＳ開始に対応する前記ＰＤＣＣＨ／ＥＰＤＣＣＨの中で伝達される、手段、を更に有する請求項１に記載の装置。
【請求項７】
ＰＤＳＣＨリソースエレメント（ＲＥ）マッピング及び地理的同一指示子（ＰＱＩ）の値により示される送信パラメータセットに基づき前記ＳＰＳ  ＰＤＳＣＨを処理する手段であって、前記ＰＱＩの値は、ＲＲＣレイヤシグナリングに基づき構成される、手段、を更に有する請求項１に記載の装置。
【請求項８】
無線通信のためのユーザ機器（ＵＥ）による方法であって、
少なくとも１つの基地局から第１のサブフレーム内で、ＳＰＳ（semi−persistent  scheduling）開始に対応するＰＤＣＣＨ／ＥＰＤＣＣＨ（physical  downlink  control  channel又はenhanced  physical  downlink  control  channel）を受信するステップであって、前記ＰＤＣＣＨ／ＥＰＤＣＣＨはｎＳＣＩＤの値を伝達する、ステップと、
前記ＳＰＳ開始に基づき、第２のサブフレーム内のダウンリンク（ＤＬ）割り当てを構成するステップであって、前記ＵＥは送信モード１０（ＴＭ１０）のために構成される、ステップと、
前記少なくとも１つの基地局から前記第２のサブフレーム内で、ＵＥ固有参照信号を受信するステップであって、前記ＵＥ固有参照信号は、前記第２のサブフレーム内のＳＰＳ  ＰＤＳＣＨ（SPS  physical  downlink  shared  channel）に関連付けられ、前記ＳＰＳ  ＰＤＳＣＨは対応するＰＤＣＣＨ／ＥＰＤＣＣＨを有しない、ステップと、
前記第１のサブフレーム内のＳＰＳ開始に対応する前記ＰＤＣＣＨ／ＥＰＤＣＣＨから得た前記ｎＳＣＩＤの値を用いて、前記第２のサブフレーム内の前記ＵＥ固有参照信号に対応する参照信号シーケンスを決定するステップと、
前記ＵＥ固有参照信号及び前記参照信号シーケンスに基づき、前記ＳＰＳ  ＰＤＳＣＨを処理するステップと、
を有する方法。
【請求項９】
前記ＵＥは、ＣｏＭＰ（coordinated  multipoint）送信又は受信のために構成され、前記ＳＰＳ  ＰＤＳＣＨ及びＳＰＳ開始に対応する前記ＰＤＣＣＨ／ＥＰＤＣＣＨのうちの１又は複数はＣｏＭＰ送信を有する、請求項８に記載の方法。
【請求項１０】
ダウンリンク制御情報（ＤＣＩ）フォーマットを監視するステップであって、前記ｎＳＣＩＤの値を伝達する前記ＰＤＣＣＨ／ＥＰＤＣＣＨは、ＤＣＩフォーマット２Ｄを有するＰＤＣＣＨ／ＥＰＤＣＣＨである、ステップ、
を更に有する請求項８に記載の方法。
【請求項１１】
前記参照信号シーケンスを決定するステップは、仮想セル識別子ｎ（ｎＳＣＩＤ）ＩＤ及びｎＳＣＩＤの値に基づき、前記参照信号シーケンスを生成するステップを有する、請求項８に記載の方法。
【請求項１２】
前記ｎ（ｎＳＣＩＤ）ＩＤは、物理層より上の層におけるシグナリングにより構成される、請求項１１に記載の方法。
【請求項１３】
ＰＤＳＣＨリソースエレメント（ＲＥ）マッピング及び地理的同一指示子（ＰＱＩ）の値により示される送信パラメータセットに基づき前記ＳＰＳ  ＰＤＳＣＨを処理するステップであって、前記ＰＱＩの値は、ＳＰＳ開始に対応する前記ＰＤＣＣＨ／ＥＰＤＣＣＨの中で伝達される、ステップ、を更に有する請求項８に記載の方法。
【請求項１４】
ＰＤＳＣＨリソースエレメント（ＲＥ）マッピング及び地理的同一指示子（ＰＱＩ）の値により示される送信パラメータセットに基づき前記ＳＰＳ  ＰＤＳＣＨを処理するステップであって、前記ＰＱＩの値は、ＲＲＣレイヤシグナリングに基づき構成される、ステップ、を更に有する請求項８に記載の方法。
【請求項１５】
プロセッサに、請求項１乃至１４のいずれか一項に記載の方法を実施させ又は装置を実現させるコンピュータプログラム。
【請求項１６】
請求項１５に記載のコンピュータプログラムを記憶するコンピュータ可読記憶媒体。
【請求項１７】
Ｅ−ＵＴＲＡＮ（evolved  universal  terrestrial  radio  access  network）ｅＮＢ（node  B）の方法であって、前記方法は、
ＣｏＭＰ（coordinated  multi−point）送信のためにユーザ機器（ＵＥ）を構成するステップと、
第１のサブフレーム内で、ＳＰＳ（semi−persistent  scheduling）無線ネットワーク一時識別子（ＲＮＴＩ）によりスクランブリングされるＳＰＳ開始制御チャネル信号を送信するステップであて、前記ＳＰＳ開始制御チャネル信号は、ｎＳＣＩＤの値を伝達する、ステップと、
別のサブフレーム内で、対応する制御チャネル信号を有しない共有データチャネル信号を送信するステップであって、前記共有データチャネル信号は、前記第１のサブフレーム内の前記ｎＳＣＩＤの値に基づき決定される参照信号シーケンスを有するＵＥ固有参照信号を有する、ステップと、
を有する方法。
【請求項１８】
前記ＳＰＳ開始制御チャネル信号は、ＰＤＳＣＨ（physical  downlink  shared  channel）リソースエレメント（ＲＥ）マッピング及び地理的同一指示子（ＰＱＩ）を伝達する、請求項１７に記載の方法。
【請求項１９】
前記共有データチャネル信号は、前記ｎＳＣＩＤ及び前記ＰＱＩのうちの１又は複数に基づき送信される、請求項１８に記載の方法。
【請求項２０】
請求項１７乃至１９のいずれか一項に記載の方法を実行する手段を有する装置。
【発明の詳細な説明】
【技術分野】
【０００１】
本開示は、無線通信ネットワークに関する。
【０００２】
具体的には、本開示は、無線通信システムにおける半永続的スケジューリング（semi−persistent  scheduling：ＳＰＳ）のためのシステム及び方法に関する。
【背景技術】
【０００３】
無線モバイル通信技術は、基地局と無線モバイル装置との間でデータを送信するために種々の規格及びプロトコルを用いる。無線通信システム規格及びプロトコルは、３ＧＰＰ（３rd  Generation  Partnership  Project）ＬＴＥ（long  term  evolution）、一般的にＷｉＭＡＸ（Worldwide  Interoperability  for  Microwave  Access）として業界団体に知られているＩＥＥＥ（Institute  of  Electrical  and  Electronics  Engineers）８０２．１６標準、及び一般的にＷｉＦｉとして業界団体に知られているＩＥＥＥ８０２．１１標準を含み得る。ＬＴＥシステムにおける３ＧＰＰ  ＲＡＮ（radio  access  network）では、基地局は、Ｅ−ＵＴＲＡＮ（Evolved  Universal  Terrestrial  Radio  Access  Network）ＮｏｄｅＢ（evolved  Node  B、enhanced  Node  B、eNodeB、又はeNBとしても一般的に表記される）と、ユーザ機器（ＵＥ）として知られる無線モバイル装置と通信する、ＵＴＲＡＮ若しくはＥ−ＵＴＲＡＮにおけるＲＮＣ（Radio  Network  Controllers）との組合せであり得る。ダウンリンク（又はＤＬ）送信は、基地局（又はｅＮＢ）から無線モバイル装置（又はＵＥ）への通信であり、アップリンク（又はＵＬ）送信は、無線モバイル装置から基地局への通信であり得る。
【０００４】
多くの無線ネットワークにおける共通の目標は、データレートを増大すること、送信スペクトルの使用効率を向上すること、及び良好なカバレッジを有する。セル境界近くの効率、データレート、及び／又はカバレッジを増大する１つの方法は、異なる送信点からの同じ信号の送信を含む協調マルチポイント（coordinated  multipoint：ＣｏＭＰ）送信の使用を含む。したがって、複数の送信点、及びＵＥは、信号を送信するためにデータ及び構成詳細事項を知る必要がある。効率を増大する別の方法は、半永続的スケジューリング（semi−persistent  scheduling：ＳＰＳ）の使用である。ＳＰＳは、物理層（レイヤ１）シグナリングを制御するために必要な制御データを削減させ、したがって、ＶｏＩＰ（voice  over  internet  protocol）におけるような小さいが頻度の高い送信についての制御データオーバヘッドを削減できる。しかしながら、ＳＰＳデータを送信するためにＣｏＭＰが用いられるとき、ＵＥがどのようにデータを処理すべきか、及び送信点がどのようにデータを送信すべきかに関する制御情報は、提供されない。したがって、ＵＥは送信データを受信できず、ｅＮＢはＵＥにより受信可能な方法でデータを送信できない。
【０００５】
ダウンリンク方向におけるデータの適正な送信及び／又は受信のために重要な制御情報の一例は、参照信号の生成のためのパラメータ及び指示子である。具体的には、ダウンリンク方向におけるＤＭ−ＲＳ（demodulation  reference  signals）は、送信の前にスクランブルされる。ＵＥがデータがどのようにスクランブルされたかを示すパラメータを有する制御信号を受信すれば、ＵＥは、ＤＭ−ＲＳを正しく受信し、チャネル推定（等）のために利用し、そしてダウンリンクデータを正しく復調できる。しかしながら、ＵＥがどのように参照信号がスクランブルされたかが分からない場合、ＵＥは、参照信号を正しく受信し及び／又はデータを復調することができない。
【発明の概要】
【発明が解決しようとする課題】
【０００６】
本願は、ＳＰＳ及び／又はＣｏＭＰ送信の間にダウンリンクデータを受信するシステム、方法、及び装置を開示する。
【課題を解決するための手段】
【０００７】
一実施形態によると、ＵＥは、ＳＰＳ開始情報を受信するために用いられた制御情報に基づき、対応する物理層制御通信を有しない物理層データ通信を受信するよう構成される。別の実施形態によると、ＵＥは、ＲＲＣ（radio  resource  configuration）レイヤシグナリングのような物理層より上のシグナリングを用いて構成された値に基づき、対応する物理層制御通信を有しない物理層データ通信を受信するよう構成される。更に別の実施形態によると、ＵＥは、ＳＰＳ通信のための所定の固定値に基づき、対応する物理層制御通信を有しない物理層データ通信を受信するよう構成される。
【図面の簡単な説明】
【０００８】
【図１】本願明細書に開示の実施形態と合致する、無線モバイル装置に通信サービスを提供する通信システムを示す概略図である。
【図２Ａ】本願明細書に開示の実施形態と合致する、協調マルチポイント（coordinated  multipoint：ＣｏＭＰ）送信のためのネットワーク内の送信点配置を示す概略図である。
【図２Ｂ】本願明細書に開示の実施形態と合致する、協調マルチポイント（coordinated  multipoint：ＣｏＭＰ）送信のためのネットワーク内の送信点配置を示す概略図である。
【図２Ｃ】本願明細書に開示の実施形態と合致する、協調マルチポイント（coordinated  multipoint：ＣｏＭＰ）送信のためのネットワーク内の送信点配置を示す概略図である。
【図３】本願明細書に開示の実施形態と合致する、リソースブロック対の中の参照信号及び制御信号を示すリソースグリッドの概略図である。
【図４】本願明細書に開示の実施形態と合致する、ユーザ機器（ＵＥ）のコンポーネントを示す概略ブロック図である。
【図５】本願明細書に開示の実施形態と合致する、ｅＮＢ（evolved  Node  B）のコンポーネントを示す概略ブロック図である。
【図６】本願明細書に開示の実施形態と合致する、半永続的スケジューリング（semi−persistent  scheduling：ＳＰＳ）の起動及びＳＰＳセッションの間のＵＥとｅＮＢとの間の通信を示す通信時系列の図である。
【図７】本願明細書に開示の実施形態と合致する、ＳＰＳ通信を受信する方法を示す概略フローチャートである。
【図８】本願明細書に開示の実施形態と合致する、ＳＰＳ通信を受信する別の方法を示す概略フローチャートである。
【図９】本願明細書に開示の実施形態と合致する、ＳＰＳ通信を提供する方法を示す概略フローチャートである。
【図１０】本願明細書に開示の実施形態と合致する、ＳＰＳ通信を受信する別の方法を示す概略フローチャートである。
【図１１】本願明細書に開示の実施形態と合致する、ＳＰＳ通信を受信する更に別の方法を示す概略フローチャートである。
【図１２】本願明細書に開示の実施形態と合致する、無線モバイル装置の概略図である。
【発明を実施するための形態】
【０００９】
本願明細書で用いられるとき、用語「物理層制御通信」は、通信プロトコルの物理層（例えば、レイヤ１）における制御シグナリングを包含すると考えられる。３ＧＰＰＬＴＥにおける物理層制御通信の例は、ＰＵＣＣＨ（physical  uplink  control  channel）通信、及びＰＤＣＣＨ（physical  downlink  control  channel）通信を含む。一実施形態では、用語ＰＤＣＣＨは、レガシーＰＤＣＣＨ又は拡張ＰＤＣＣＨ（EnhancedPDCCH：ＥＰＤＣＣＨ）を含む。更に、用語「ＰＤＣＣＨ／ＥＰＤＣＣＨ」は、本願明細書で、ＰＤＣＣＨ又はＥＰＤＣＣＨを含む制御チャネルを参照するために用いられ得る。さらに、用語「ＰＤＣＣＨ」、「ＥＰＤＣＣＨ」、「ＰＤＳＨ」、又は類似の語は、チャネル及び／又はチャネル上の送信を表し得る。例えば、用語「ＰＤＣＣＨ」はＰＤＣＣＨ送信、ＰＤＣＣＨ信号、又はＰＤＣＣＨ上の他のメッセージ若しくは信号を表し得る。
【００１０】
用語「物理層データ通信」は、通信プロトコルの物理層（レイヤ１）におけるデータシグナリング又は共有レイヤシグナリングを包含すると考えられる。例えば、データシグナリングは、アプリケーションデータ、上位レイヤ制御データ、又は物理層を制御するために用いられないが上位レイヤ又はアプリケーションにより用いられ得る他のデータを含み得る。３ＧＰＰＬＴＥにおける物理層データ通信の例は、ＰＵＳＣＨ（physical  uplink  shared  channel）通信、及びＰＤＳＣＨ（physical  downlink  shared  channel）通信を含む。当業者は、他のプロトコルが用語「物理層制御通信」及び「物理層データ通信」の範囲内に含まれる同様の物理又はレイヤ１通信を含み得ることを理解するだろう。
【００１１】
明確さを向上し、本開示を不明瞭にするのを回避するために、本願明細書で提供される実施形態及び例は、３ＧＰＰ  ＬＴＥ標準に基づき動作するシステム、方法、及び装置に焦点を当てる。専門用語及び動作例は概してＬＴＥを対象としているが、当業者は、他の通信標準も僅かな変更で又はいかなる変更も有しないで本願明細書の教示の対象であることを理解するだろう。ＵＥ、ｅＮＢ、ＰＤＳＣＨ、ＰＤＣＣＨのような専門用語、又明細書中で用いられる他の用語は、他の通信プロトコルで用いられる他の同様のシステム又はコンポーネントを包含するものと理解されるべきである。
【００１２】
本開示の実施形態に合致するシステム及び方法の詳細な説明は以下に提供される。幾つかの実施形態が記載されるが、本開示は、一実施形態に限定されず、むしろ多数の代替、変更、及び等価なものを包含することが理解されるべきである。さらに、本願明細書に開示の実施形態の完全な理解を提供するために、多数の特定の詳細事項が以下の記載で提供されるが、幾つかの実施形態は、これらの詳細事項の一部又は全部を有しないで実施できる。さらに、明確さのために、関連技術において知られている特定の技術的素材は、本開示を不要に不明瞭にすることを回避するために詳細に記載されない。
【００１３】
図１は、ＵＥ１０２に通信サービスを提供する通信システム１００の一実施形態を示す。通信システム１００は、ｅＮＢ１０６を含むＥ−ＵＴＲＡＮ１０４と、拡張パケットコア（evolved  packet  core：ＥＰＣ）１０８とを含む。一実施形態によると、通信システム１００は、ｅＮＢ１０６を介してＵＥ１０２にＳＰＳ通信を提供するよう構成される。一実施形態では、ＳＰＳ通信は、ＣｏＭＰ送信に従って、両方のｅＮＢ１０６から送信され、ＵＥ１０２が２つの異なる送信点から通信を受信するようにする。
【００１４】
ＵＥ１０２は、任意の種類の通信及び／又はコンピューティング装置を有しても良い。例示的なＵＥ１０２は、電話機、スマートフォン、ＰＤＡ（personal  digital  assistant）、タブレットコンピュータ、ノートブックコンピュータ、ウルトラブックコンピュータ、等を含む。ＵＥ１０２は、ＵＭＴＳ（universal  mobile  telecommunication  system）、ＬＴＥ、ＬＴＥ−Ａ（LTE−Advanced）、等のような３ＧＰＰ標準を用いて通信するよう構成される装置を有しても良い。同様に、ＵＥ１０２は、任意の無線通信標準に基づき通信するよう構成されるモバイル無線装置を有しても良い。
【００１５】
Ｅ−ＵＴＲＡＮ１０４は、ＵＥ１０２及び／又は複数の他の無線モバイル装置への無線データアクセスを提供するよう構成される。Ｅ−ＵＴＲＡＮ１０４は、無線データ、音声、及び／又はＥＰＣ１０８を通じてＵＥ１０２まで利用可能な他の通信を提供する。一実施形態では、Ｅ−ＵＴＲＡＮ１０４は、ＵＥ１０２が使用可能な無線プロトコルのような無線プロトコルに従って動作する。ｅＮＢ１０６は、送信点及びＲＮＣ機能を実装しても良い。ｅＮＢ１０６は、図示のようにＸ２インタフェースを介して互いに通信するよう構成される。
【００１６】
ｅＮＢ１０６は、両方とも、ＵＥ１０２と通信１１０するよう示される。一実施形態によると、ｅＮＢ１０６は、ＣｏＭＰ送信におけるようにＵＥ１０２にほぼ同時に又は閾時間内に到着する同じ信号及び／又はデータを提供する。一実施形態では、ＵＥ１０２は、両方の信号を受信する。ＵＥ１０２は、ＣｏＭＰ送信を受信し、別個の送信を単一のデータ送信として処理する。一実施形態では、ＵＥ１０２は、単に複数経路の信号を受信可能なので、ＣｏＭＰ送信を受信可能であっても良い。したがって、ＵＥ１０２において、複数経路信号の処理以外に、ＣｏＭＰ送信を受信するために特別な処理は必要ない。別の実施形態では、ＵＥ１０２は、ほぼ同時に別個の送信点から信号を受信するよう構成されても良い。ＵＥ１０２は２つのｅＮＢ１０６と通信するよう示されるが、幾つかの実施形態は、３以上の送信点を用いてＣｏＭＰ送信が可能であっても良い。
【００１７】
３ＧＰＰ  ＬＴＥの将来のリリースは、送信モード１０（transmission  mode  １０）と呼ばれる新しい送信モードのための機能を含むことが予定されている。ＴＭ１０は、ＵＥ１０２へのＣｏＭＰ送信及び／又はＵＥ１０２による受信を可能にする。上述のように、ＣｏＭＰは、送信セルからの受信電力が低いセル境界に位置するＵＥ１０２への送信に役立つ。低い受信電力は、パケット損失を増加し及び／又はメッセージの再送を要求し得る。パケット損失及び再送信は、データレートの低下とともに、ＵＥ１０２及びｅＮＢ１０６における処理電力及びエネルギの効率的な使用を低下させる。ＣｏＭＰ送信は、複数の送信点のいずれもＵＥ１０２の近くにない場合であっても、同じデータが複数の送信点から送信されるので、ＵＥ１０２の合計受信電力を増大できる。
【００１８】
図２Ａ〜２Ｃは、ＣｏＭＰ送信が使用され得る例示的な送信点配置を示す概略図である。図２Ａは、複数のｅＮＢ１０６を有する同種ネットワーク２００ａを示す。ｅＮＢ１０６の各々は、隣接してカバーされるセル２０２を生成するために、異なる領域をカバーする。セル２０２間の境界のうちの１つの近くに位置する無線モバイル装置は、主セル、又は主サービングｅＮＢ１０６からの弱い信号強度に苦しみ得る。サイト内ＣｏＭＰを用いて、主サービングセル及び近隣セルの両者からの信号は、ＵＥにより受信される総信号強度を引き上げ並びにデータ損失及び／又は必要な再送信を低減するために送信されても良い。
【００１９】
図２Ｂは、図２Ａの同種ネットワーク２００ａと類似する同種ネットワーク２００ｂを示す。しかしながら、単一のｅＮＢ１０６のみが示され、高い送信（Ｔｘ）電力ＲＲＨ（radio  resource  head）２０４によりカバーされる近隣セル２０２を有する。高Ｔｘ電力ＲＲＨ２０４は、ｅＮＢ１０６と同じような大きさの領域をカバーする無線能力を有するが、ｅＮＢ１０６におけるような他の場所で多くの処理及び／又は制御を実行させる。ｅＮＢ１０６と各高Ｔｘ電力ＲＲＨ２０４との間の光ファイバ接続２０６は、ｅＮＢ１０６と高Ｔｘ電力ＲＲＨ２０４との間の通信を提供する。例えば、ｅＮＢ１０６は、ＣｏＭＰ送信を実行するために、ｅＮＢ１０６と同じ又は類似の信号を送信するよう高Ｔｘ電力ＲＲＨ２０４に指示できる。
【００２０】
図２Ｃは、単一のｅＮＢ１０６とそれぞれｅＮＢ１０６によりカバーされるマクロセル２１０内のカバレッジを提供する複数の低Ｔｘ電力ＲＲＨ２０８とを有する非同種ネットワーク２００ｃを示す。各低Ｔｘ電力ＲＲＨ２０８は、少なくとも部分的にマクロセル２１０内にあるカバレッジエリア２１２を有する。低Ｔｘ電力ＲＲＨ２０８は、マクロセル２１０と同じ又は異なるセルＩＤを有しても良い。例えば、ＵＥ１０２は、低Ｒｘ電力ＲＲＨ２０８か否か又はｅＮＢ１０６が主送信点として用いられるか否かにかかわらず、同じセルに接続されたかのように動作しても良い。図２Ａ及び２Ｂの実施形態と同様に、ＣｏＭＰ送信は、マクロセル２１０及び／又はＲＲＨカバレッジエリア２１２の境界近くのＵＥ１０２へ送信するために用いられても良い。当業者は、図２Ａ、２Ｂ又は２Ｃに示した実施形態のうちのいずれでも、ＣｏＭＰ送信が、境界近くではない場所でも、例えばＵＥ１０２により受信電力の低下が経験される場所でも用いることができることを理解するだろう。
【００２１】
上述のように、無線ネットワーク及び／又はスペクトルの効率的使用は、制御データオーバヘッドを削減することにより増大できる。制御データは、移動局又は無線ネットワーク制御部に、データを送信するために用いられる設定及び／又はデータを送信するタイミングを知らせるために用いることができる。幾つかの実施形態では、制御データは、信号を受信及び／又は処理できるために、移動局又は基地局にとって必ずしも必要ではない。動的に通信されるデータでは、制御データは、どのように及び／又はいつ移動局がデータ信号を受信するかを制御するために必要である。多くの場合、従来の動的にスケジューリングされたデータアイテムは、大きく、頻度が少なく、及び／又は予測できない。動的にスケジューリングされたデータアイテムは大きい傾向があるので、上位レイヤのデータ量当たりの制御データ量は極めて小さい傾向にある。
【００２２】
しかしながら、少量のデータが繰り返し送信されるので、制御シグナリングは、送信されるデータ量の大きな比例オーバヘッドになり得る。これは、データがリアルタイム通信を必要とする場合であり得る。例えば、ＶｏＩＰでは、少量の音声データが、１０又は２０ミリ秒毎に送信され得る。これらのパケットの各々が動的に送信される場合、制御データは、大きなオーバヘッドを構成する。言い換えると、ＶｏＩＰデータの量毎に送信される制御データの量は、非常に高い。
【００２３】
図３は、通常の巡回プレフィックスを有する１サブフレーム３０２の間のＤＬ主リソースブロック対のリソースグリッド３００を示す。サブフレーム３０２は、２つのスロット３０４及び１４個のシンボル３０６に分けられる。各リソースブロックは、１スロット３０４の間に１２個のサブキャリア３１０を有する。単一のサブキャリア３１０及び単一のシンボル３０６の交点は、リソースエレメント３０８として参照される。当業者は、リソースブロック対の構造が単なる例として与えられ、異なる標準、標準のバージョン、及び／又は他の共通無線通信方法の間で有意に変化し得ることを理解するだろう。
【００２４】
リソースグリッド３００は、制御信号３１４（ＰＤＣＣＨ）、参照信号３１２（ＤＭ−ＲＳ）、及び（ＰＤＳＣＨのような）物理層データ信号で利用可能であり得るリソースエレメント３０８の構成を示す。図示のように、ＰＤＣＣＨ通信はスロットの始めに送信され、ＰＤＳＣＨ通信はスロットの後半に割り当てられても良い。ここで用いられるように、用語ＰＤＳＣＨは、ＰＤＳＣＨデータのような物理層データを有するリソースエレメント３０８及び／又はサブフレーム３０２にマッピングされる任意の信号を広義に意味する。空白（Ｘ）リソースエレメント３０８も示される。一実施形態によると、参照信号３１２は、対応するＰＤＳＣＨがマッピングされるリソースブロックで送信されるのみである。
【００２５】
比例制御オーバヘッドを削減するために、ＳＰＳを実装することが有利な場合がある。これは、データが送信される周波数が分かっている又は制御できる特定の通信種類で可能である。ＶｏＩＰは、ＳＰＳを前提とし得るデータの一例である。ＳＰＳでは、情報の送信は、特定の時間及び／又は間隔でスケジューリングされる。ＳＰＳは、ＵＥ１０２及びｅＮＢ１０６が、いつ及びどのようにデータが送信されるかを理解させる。したがって、（図３のＰＤＣＣＨのような）制御シグナリングは削減又は省略できる。例えば、データが送信される必要がある度に、制御信号が送信される必要がない。これは、制御オーバヘッドを有意に削減できる。
【００２６】
ＤＬデータを送信するとき、ｅＮＢ１０６は、ＤＬ送信の中に（図３のＤＭ−ＲＳのような）ＵＥ固有参照信号を有する場合が多い。参照信号は、ＵＥ１０２に知られている又はＵＥ１０２により決定できるシーケンス及び／又はシグニチャを有する信号である。参照信号が分かっているので、ＵＥ１０２は、受信されたとき参照信号が実際にＵＥ１０２にどのように見えるかに基づき、チャネルを推定し及び／又はどのようにデータ信号を受信するのが最適かを決定できる。例えば、参照信号が受信されるとき歪み又は減衰している場合、ＵＥ１０２は、データ信号が同様に影響を受けると決定し、相応してデータ信号を復調できる。通常、ＵＥ１０２及びｅＮＢ１０６は、参照信号のシーケンス及び／又はシグニチャの両方を知るよう通信しなければならない。ＤＬ方向では、ｅＮＢ１０６は、参照信号シーケンスを送信するために、参照信号シーケンスを知らなければならず、ＵＥ１０２は、参照信号シーケンスを基準として用いるために、参照信号シーケンスを知らなければならない。
【００２７】
図４は、ＵＥ１０２の例示的なコンポーネントを示すブロック図である。ＵＥ１０２は、通信機コンポーネント４０２、スケジューリングコンポーネント４０４、参照信号コンポーネント４０６、初期化コンポーネント４０８、ＲＲＣコンポーネント４１０、信号処理コンポーネント４１２、送信モードコンポーネント４１４を有する。一実施形態では、ＵＥ１０２は、ＣｏＭＰ送信を用いて送信される物理層制御信号を有しないで、物理層データ信号を受信するよう構成される。
【００２８】
通信機コンポーネント４０２は、ｅＮＢ１０６又は他の無線機と通信するよう構成される。通信機コンポーネント４０２は、１又は複数のアンテナ及び／又はメッセージを無線で送信及び受信する処理回路を有しても良い。通信機コンポーネント４０２は、ＵＥ１０２の他のコンポーネント又はプロセッサを代表して、メッセージを送信及び受信するよう動作しても良い。
【００２９】
一実施形態によると、通信機コンポーネント４０２は、ＰＤＣＣＨ通信を受信するよう構成される。ＰＤＣＣＨ通信は、どのようにＰＤＳＣＨ及び／又はＰＤＳＣＨに対応する参照信号を受信するかをＵＥに知らせるために、ダウンリンク制御情報（downlink  control  information：ＤＣＩ）を有しても良い。
【００３０】
３ＧＰＰ  ＬＴＥでは、ＵＥ固有参照信号は、ＰＤＳＣＨの送信のためにサポートされ、アンテナポートｐ＝５、ｐ＝７、ｐ＝８、及び／又はｐ＝７、８、．．．．、ｕ＋６で送信される。ここで、ｕは、ＰＤＳＣＨの送信のために用いられるレイヤの数である。ＰＤＳＣＨ送信が対応するアンテナポートに関連付けられる場合のみ、ＵＥ固有参照信号は存在し、ＰＤＳＣＨ復調のための有効な基準である。３ＧＰＰ  ＴＳ  ３６．２１１、Section７．１は、固有アンテナポートに関連付けられるＰＤＳＣＨ送信を定めている。ＵＥ固有参照信号は、対応するＰＤＳＣＨがマッピングされるリソースブロックでのみ送信される。ＵＥ固有参照信号は、ＵＥ固有参照信号以外の物理チャネル又は物理信号のうちの１つが、それらのアンテナポートｐに係わらず、送信されるリソースエレメントと同じインデックスを有するリソースエレメントでは送信されない。例えば、リソースマップ３００内の空白リソースエレメント３０８（「Ｘ」により示す）は、送信が認められない場所を示す。
【００３１】
一実施形態では、ＵＥ固有参照信号は、スクランブルされても良い。参照信号がスクランブルされるので、ＵＥ１０２及び（ｅＮＢ１０６のような）送信点は、同じ方法で初期化されている参照信号を送信／受信するよう構成されても良い。アンテナポート５について、ＵＥ固有参照信号
【００３２】
【数１】
2020120378.tif 000003
は次式により定められる。
【００３３】
【数２】
2020120378.tif 000004
ここで、
【００３４】
【数３】
2020120378.tif 000005
は、対応する物理データチャネル送信のリソースブロックを表す。
【００３５】
疑似ランダムシーケンスｃ（ｉ）は、３ＧＰＰ  ＴＳ３６．２１１のSection７．２に
定められている。疑似ランダムシーケンス生成器は、各サブフレームの始めに次式により
開始される。
【００３６】
【数４】
2020120378.tif 000006
ここで、ｎＲＮＴＩは、３ＧＰＰ  ＴＳ３６．３２１で定められたＲＮＴＩ（radio  network  temporary  identifier）の値である。
【００３７】
アンテナポートｐ＝７、８、．．．、１４のうちの任意のものについて、参照信号シーケンスｒ（ｍ）は次式により定められる。
【００３８】
【数５】
2020120378.tif 000007
【００３９】
【数６】
2020120378.tif 000008
ここで、数量
【００４０】
【数７】
2020120378.tif 000009
は、仮想セル同一性（virtual  cell  identity）
【００４１】
【数８】
2020120378.tif 000010
仮想セル同一性
【００４２】
【数９】
2020120378.tif 000011
は、
【００４３】
【数１０】
2020120378.tif 000012
の値が上位レイヤにより提供されない場合、又はＤＣＩフォーマット１ＡがＰＤＳＣＨ送
信に関連するＤＣＩのために用いられる場合、
【００４４】
【数１１】
2020120378.tif 000013
により与えられる。スクランブリング同一性
【００４５】
【数１２】
2020120378.tif 000014
が（ＲＲＣ層におけるような）上位レイヤにより提供される場合、次の通りである。
【００４６】
【数１３】
2020120378.tif 000015
ｎＳＣＩＤの値は、特に断らない限りゼロである。ポート７又は８でのＰＤＳＣＨ送信では、ｎＳＣＩＤは、ＰＤＳＣＨ送信に関連するＤＣＩフォーマット２Ｂ又は２Ｃにより与えられる。ＤＣＩフォーマット２Ｂの場合には、ｎＳＣＩＤは、表１によるスクランブリング同一性（scrambling  identity）フィールドにより示される。
【００４７】
［表１］アンテナポート７及び８について、ＤＣＩフォーマット２Ｂ内のスクランブリング同一性フィールドのｎＳＣＩＤ値へのマッピング
【００４８】
【表１】
2020120378.tif 000016
ＤＣＩフォーマット２Ｃの場合には、ｎＳＣＩＤは、表２により与えられる。
【００４９】
［表２］アンテナポート、スクランブリング同一性、及びレイヤ数指示
【００５０】
【表２】
2020120378.tif 000017
スクランブリング同一性のシグナリングに加えて、ＰＤＳＣＨリソースエレメント（resource  element：ＲＥ）マッピング及びＰＱＩ（Quasi−Co−Location  Indicator）のようなパラメータセット指示子は、送信を構成するために用いられても良い。
【００５１】
一実施形態では、ＰＱＩは、ＤＣＩシグナリングに含まれても良い。一実施形態では、ＰＱＩのための新しいＤＣＩビットが、ＣｏＭＰ（ＴＭ１０）のフォーマット２Ｃに追加されても良い。この新しいビットは、ｎＳＣＩＤと一緒に、ＲＲＣシグナリングのような上位レイヤにより構成されても良い４個のパラメータセットからＰＱＩパラメータセットを選択するために用いられても良い。例えば、ｎＳＣＩＤ＝０及びＰＱＩ＝０は第１のパラメータセットに対応し、ｎＳＣＩＤ＝０及びＰＱＩ＝１は第２のパラメータセットに対応し、ｎＳＣＩＤ＝１及びＰＱＩ＝０は第３のパラメータセットに対応し、ｎＳＣＩＤ＝１及びＰＱＩ＝１は第４のパラメータセットに対応しても良い。
【００５２】
別の実施形態では、（ＴＭ１０におけるような）ＣｏＭＰ送信のためのフォーマット２Ｃに、２つの新しいＤＣＩビットが追加されても良い。例えば、ＰＱＩ＝０は第１のパラメータセットに対応し、ＰＱＩ＝１は第２のパラメータセットに対応し、ＰＱＩ＝２は第３のパラメータセットに対応し、ＰＱＩ＝３は第４のパラメータセットに対応しても良い。
【００５３】
例えば、所与のサービングセルに対してＴＭ１０において構成されるＵＥ１０２は、ＵＥ１０２及び所与のサービングセルを対象としたＤＣＩフォーマット２Ｄを有する検出されたＰＤＣＣＨ／ＥＰＤＣＣＨに従ってＰＤＳＣＨを復号化するために、上位レイヤシグナリングにより、最大４個のパラメータセットにより構成することができる。ＵＥ１０２は、ＰＤＳＣＨ  ＲＥマッピング及び地理的に同一な（quasi  co−location）ＰＤＳＣＨアンテナポートを決定するために、ＤＣＩフォーマット２Ｄを有する検出されたＰＤＣＣＨ／ＥＰＤＣＣＨの中のＰＱＩフィールドの値に従ってパラメータセットを用いても良い。対応するＰＤＣＣＨを有しないＰＤＳＣＨでは、ＵＥ１０２は、ＰＤＳＣＨ  ＲＥマッピング及び地理的に同一なＰＤＳＣＨアンテナポートを決定するために関連するＳＰＳ有効化に対応するＤＣＩフォーマット２Ｄを有するＰＤＣＣＨ／ＥＰＤＣＣＨの中に示されたパラメータセットを用いても良い。
【００５４】
ＤＣＩフォーマット２Ｄの場合には、ＰＱＩは表３により与えられ得る。
【００５５】
［表３］ＤＣＩフォーマット２ＤにおけるＰＤＳＣＨ  ＲＥマッピング及びＰＱＩ（Quasi−Co−Location  Indicator）フィールド
【００５６】
【表３】
2020120378.tif 000018
ＰＤＳＣＨ  ＲＥマッピング及び地理的に同一なＰＤＳＣＨアンテナポートを決定する以下のパラメータは、各パラメータセットの上位レイヤシグナリングにより構成されても良い。
【００５７】
・ＰＤＳＣＨ  ＲＥマッピングのためのセル固有参照信号（cell  specific  reference  signal：ＣＲＳ）アンテナポートの数  ・ＰＤＳＣＨ  ＲＥマッピングのためのＣＲＳ周波数シフト  ・ＰＤＳＣＨ  ＲＥマッピングのためのＭＢＳＦＮ（Multi−Broadcast  Single  Frequency  Network）サブフレーム構成
・ＰＤＳＣＨ  ＲＥマッピングのためのゼロ電力ＣＳＩ−ＲＳ（channel  state  information−reference  signal）リソース
・ＰＤＳＣＨ  ＲＥマッピングのためのＰＤＳＣＨ開始位置
・ＰＤＳＣＨ  ＲＥマッピングのためのＣＳＩ−ＲＳリソース構成同一性
所与のサービングセルに対してＴＭ１０で構成されたＵＥ１０２は、ＵＥ及び所与のサービングセルを対象としたＤＣＩフォーマット１Ａを有する検出されたＰＤＣＣＨ／ＥＰＤＣＣＨに従ってＰＤＳＣＨを復号化するために、ＰＤＳＣＨ  ＲＥマッピング及び地理的に同一なＰＤＳＣＨアンテナポートを決定する上位レイヤシグナリングにより、表２の４個のパラメータセットから選択されたパラメータセットにより構成され得る。ＵＥ１０２は、構成されたパラメータセットを用いて、ＤＣＩフォーマット１Ａを有する検出されたＰＤＣＣＨ／ＥＰＤＣＣＨに対応するＰＤＳＣＨ、及びＤＣＩフォーマット１Ａを有するＰＤＣＣＨ／ＥＰＤＣＣＨの中で示されたＳＰＳ有効化に関連する対応するＰＤＣＣＨを有しないＰＤＳＣＨを復号化するために、ＰＤＳＣＨ  ＲＥマッピング及び地理的に同一なＰＤＳＣＨアンテナポートを決定しても良い。
【００５８】
地理的に同一なアンテナポートに関し、サービングセルに対して送信モード１−１０のうちの任意のもので構成されたＵＥ１０２は、サービングセルのアンテナポート０−３が、遅延拡散、ドップラー拡散、平均利得、及び平均遅延に関して地理的に同一であると仮定しても良い。サービングセルに対して送信モード８−１０で構成されたＵＥ１０２は、サービングセルのアンテナポート７−１４が、遅延拡散、ドップラー拡散、ドップラーシフト、平均利得、及び平均遅延に関して所与のサブフレームについて地理的に同一であると仮定しても良い。サービングセルに対して送信モード１−９で構成されたＵＥ１０２は、サービングセルのアンテナポート０−３、５、７−２２が、ドップラーシフト、ドップラー拡散、平均遅延、遅延拡散に関して地理的に同一であると仮定しても良い。
【００５９】
サービングセルに対してＴＭ１０で構成されたＵＥ１０２は、アンテナポート７−１４に関連する送信方式に下がたてＰＤＳＣＨを復号化するために、上位レイヤパラメータ「qcl−Operation」により、サービングセルの２つの地理的に同一な種類のうちの１つにより構成されても良い。種類Ａでは、ＵＥ１０２は、サービングセルのアンテナポート０−３、７−２２が遅延拡散、ドップラー拡散、ドップラーシフト、及び平均遅延に関して地理的に同一であると仮定しても良い。種類Ｂでは、ＵＥ１０２は、上位レイヤパラメータ「qcl−CSI−RS−ConfigNZPId−r１１」により識別されたＣＳＩ−ＲＳリソース構成に対応するアンテナポート１５−２２、及びＰＤＳＣＨに関連するアンテナポート７−１４が、ドップラーシフト、ドップラー拡散、平均遅延、及び遅延拡散に関して地理的に同一であると仮定しても良い。
【００６０】
ＵＥ１０２がＴＭ１０のために（例えば、ＣｏＭＰ送信のために）構成されるとき、ＤＣＩフォーマット２Ｄが用いられても良い。ＤＣＩフォーマット２Ｄは、ｎＳＣＩＤ及びＰＱＩの両方の値を伝達しても良い。異なるＤＣＩフォーマットの内容は、３ＧＰＰ  ＴＳ３６．２１２、Section５．３．３．１に記載されている。ＤＣＩフォーマット２Ｄでは、次のものが送信されても良い。つまり、搬送波指示子、リソース割り当てヘッダ、リソースブロック割り当て、ＰＵＣＣＨの送信電力制御コマンド、ダウンリンク割り当てインデックス、ＨＡＲＱプロセス番号、アンテナポート、スクランブリング同一性、レイヤ数、サウンディング参照信号要求、及び／又は他のデータ若しくは情報フィールドである。
【００６１】
一実施形態では、通信機コンポーネント４０２は、上述のパラメータのうちの任意のものを有するＰＤＣＣＨを受信しても良い。例えば、一実施形態では、ＤＣＩは、後続のＰＤＳＣＨの中で情報がどのように受信されるべきかを構成するために送信パラメータを有する。ＤＣＩは、対応するＰＤＳＣＨのスクランブリング同一性（ｎＳＣＩＤ）を有しても良い。同様に、ＤＣＩは、対応するＰＤＳＣＨの送信パラメータを選択するために、ＰＱＩ値を有しても良い。次に、ＤＣＩは、対応するＰＤＳＣＨを受信及び／又は処理するよう、ＵＥ１０２を構成するために用いられても良い。一実施形態では、ＰＤＣＣＨはＳＰＳ処理を起動するために用いられても良い。本開示では、用語SPS処理及びＳＰＳセッションは、ＳＰＳ通信の構成、送信、及び／又は受信を示すために同義に用いられても良い。例えば、ＳＰＳ構成情報は、ＰＤＳＣＨを介するような上位レイヤで送信されても良く、ＰＤＣＣＨはＳＰＳ処理を開始するために用いられても良い。
【００６２】
一実施形態によると、通信機コンポーネント４０２は、ユーザデータ、（ＲＲＣレイヤシグナリングのような）上位レイヤの制御データ、等を含むＰＤＳＣＨ通信を受信するよう構成される。一実施形態では、通信機コンポーネント４０２は、ＳＰＳ構成情報を受信する。例えば、３ＧＰＰ  ＬＴＥでは、ＳＰＳは、ＲＲＣシグナリングレイヤにおけるＲＲＣシグナリングにより有効化されても良い。ＲＲＣ情報は、アップリンクＳＰＳ構成情報を有しても良い。アップリンクＳＰＳ構成情報は、ＵＥのＣ−ＲＮＴＩ（cell  radio  network  temporary  identifier）、アップリンクＳＰＳ間隔（semiPersistSchedlntervalUL）、ＳＰＳがアップリンクについて有効にされた場合、黙示的開始前の空送信の数（implicitReleaseAfter）、及び／又はtwolntervalsConfiが時分割（time  division  duplex：ＴＤＤ）でアップリンクについて有効又は無効にされたか、を含む。ＲＲＣ情報は、ダウンリンクＳＰＳ構成情報を有しても良い。ダウンリンクＳＰＳ構成情報は、ダウンリンクＳＰＳ間隔（semiPersistentSchedlntervalDL）、及び／又はＳＰＳがダウンリンクについて有効にされた場合、ＳＰＳのために構成されたＨＡＲＱ（hybrid  automatic  repeat  request）処理の数（numberOfConfSPS−Processes）、を有する。
【００６３】
ＳＰＳ構成情報を受信し及び次にＰＤＣＣＨ開始信号を用いてＳＰＳを開始した後のように、ＳＰＳが有効にされると、ＵＥ１０２及び基地局は、ＳＰＳセッションのためにスケジューリングされた通信の制御データを送信することなく、通信しても良い。アップリンク又はダウンリンクのＳＰＳがＲＲＣによりラベル付けされるとき、対応する構成された許可又は構成された割り当ては無効にされる。幾つかの実施形態では、ＳＰＳは主セル（ＰＣｅｌｌ）でのみサポートされる。さらに、ＳＰＳは、無線ネットワークサブフレーム構成と組み合わせたＥ−ＵＴＲＡＮを有する無線ネットワーク通信のためにサポートされなくても良い。
【００６４】
一実施形態では、通信機コンポーネント４０２は、上述の構成情報を含むＰＤＳＣＨ通信を受信する。別の実施形態では、ＰＤＳＣＨ通信は、対応するＰＤＣＣＨ通信を有しないＰＤＳＣＨ通信を受信するために必要な情報を有しても良い。例えば、ＰＤＳＣＨ通信は、スクランブリング同一性ｎＳＣＩＤ値、仮想セル同一性
【００６５】
【数１４】
2020120378.tif 000019
、及び／又は（ＰＱＩのような）送信パラメータセット指示子値、を有しても良い。これらの値は、対応するＰＤＣＣＨを有しないＳＰＳセッション中に受信されるＰＤＳＣＨのためのこれらの値又はパラメータを構成するために、ＲＲＣレイヤシグナリング内のような上位レイヤシグナリングに含まれても良い。
【００６６】
スケジューリングコンポーネント４０４は、ＳＰＳセッションのためにＵＥ１０２を構成する。スケジューリングコンポーネント４０４は、通信機コンポーネントにより受信されるＳＰＳ開始情報に基づき、ＳＰＳセッションのためにＵＥ１０２を構成しても良い。ＳＰＳ開始情報は、対応するＰＤＣＣＨ通信を有するＰＤＳＣＨ通信中に通信機コンポーネント４０２により受信されても良い。一実施形態では、ＰＤＳＣＨ通信は、対応するＰＤＣＣＨ通信に基づき動的にスケジューリングされた通信を有しても良い。
【００６７】
ＳＰＳセッション中、ＵＥ１０２（及びｅＮＢ１０６又は他の送信点）のスケジューリングコンポーネント４０４は、いつ次にスケジューリングされた送信が生じるかを、上述の開始情報及び／又は較正情報に基づき決定できる。したがって、送信の詳細事項を互いに通知する制御シグナリングは、もはや必要ない。例えば、ＵＥ１０２は、いつ通信が受信されるかを、ダウンリンクＳＰＳ間隔及びＳＰＳが開始されたサブフレームを用いて決定できる。ダウンリンクＳＰＳでは、及びＳＰＳ  ＤＬ割り当てが構成された後に、スケジューリングコンポーネント４０４は、Ｎ番目の割り当てが以下のようなサブフレームにおいて生じると決定する。
【００６８】
【数１５】
2020120378.tif 000020
ＳＦＮｓｔａｒｔ  ｔｉｍｅ及びｓｕｂｆｒａｍｅｓｔａｒｔ  ｔｉｍｅは、それぞれ、構成されたダウンリンクＳＰＳ割り当てが初期化又は再初期化されるときのシステムフレーム番号及びサブフレーム番号である。
【００６９】
一実施形態では、スケジューリングコンポーネント４０４は、ＳＰＳ−ＲＮＴＩ（SPS−radio  network  temporary  identifier）開始に基づき、ＳＰＳセッションのためにＵＥ１０２を構成する。例えば、スケジューリングコンポーネント４０４は、ｅＮＢ１０６から受信したＳＰＳ−ＲＮＴＩに基づき、ＳＰＳセッションを開始しても良い。一実施形態では、スケジューリングコンポーネント４０４は、Ｃ−ＲＮＴＩ（cell−RNTI）に基づきＳＰＳセッションのためにＵＥ１０２を構成する。例えば、スケジューリングコンポーネント４０４は、ｅＮＢ１０６から受信したＣ−ＲＮＴＩに基づき、ＳＰＳセッションを開始しても良い。スケジューリングコンポーネント４０４は、ＳＰＳ検証に基づき、ＳＰＳセッションのためにＵＥ１０２を構成しても良い。例えば、ＵＥ１０２は、ＳＰＳ開始情報が受信される場合、ＰＤＳＣＨに対応するＰＤＣＣＨを検証しても良い。一実施形態では、（Ｃ−ＲＮＴＩ又はＳＰＳ−ＲＮＴＩのような）ＲＮＴＩは、特定のＵＥ１０２のための信号をスクランブリングするために用いられても良い。
【００７０】
スケジューリングコンポーネント４０４は、ＳＰＳ  ＰＤＳＣＨ（つまり、対応するＰＤＣＣＨ／ＥＰＤＣＣＨを有しないＰＤＳＣＨ）のような１又は複数のＳＰＳ通信をスケジューリングすることにより、ＳＰＳセッションのためにＵＥ１０２を構成しても良い。スケジューリングコンポーネント４０４は、上述のようにＳＰＳ開始情報に基づきＳＰＳ通信をスケジューリングしても良い。例えば、スケジューリングコンポーネント４０４は、上述の式（５）に基づき将来のＳＰＳ通信をスケジューリングしても良い。各ＳＰＳ通信は、対応する制御信号（ＰＤＣＣＨ）を有しない（ＰＤＳＣＨのような）物理層データ信号を有しても良い。例えば、ＳＰＳ通信は、物理層データが送信されるが同じサブフレーム内で送信される対応する物理層制御信号を有しないサブフレームを有しても良い。ＳＰＳ通信がスケジューリングされるので、ＰＤＣＣＨについて、ＵＥ１０２又はｅＮＢ１０６にＳＰＳ通信専用のＰＤＣＣＨを用いて通信を通知する必要がない。しかしながら、（ｎＳＣＩＤのような）スクランブリング識別子のパラメータ、仮想セル同一性
【００７１】
【数１６】
2020120378.tif 000021
、又は送信パラメータセット指示子（ＰＱＩ）は、ＳＰＳ通信を受信するために依然として必要である。
【００７２】
参照信号コンポーネント４０６は、ＳＰＳ  ＰＤＳＣＨ通信を処理するために参照信号シーケンスを決定する。ＳＰＳ  ＰＤＳＣＨ通信は、ＳＰＳ開始情報に基づきスケジューリングされ対応するＰＤＣＣＨ通信を有しないＰＤＳＣＨ通信を有しても良い。参照信号コンポーネント４０６は、ＤＭ−ＲＳのような参照信号のＵＥ固有参照信号シーケンスを決定しても良い。
【００７３】
一実施形態では、参照信号コンポーネント４０６は、ＰＤＣＣＨ通信の中のＤＣＩで提供される制御情報に基づき、参照信号シーケンスを決定する。ＤＣＩは、ＤＣＩフォーマット１Ａ、２、２Ａ、２Ｂ、２Ｃ、又は２Ｄを有しても良い。例えば、参照信号コンポーネント４０６は、ＳＰＳ開始情報が通信されたＰＤＳＣＨに対応するＤＣＩの中のスクランブリング同一性値（ｎＳＣＩＤ）に基づき、参照信号シーケンスを決定しても良い。したがって、ＳＰＳ通信の参照信号シーケンスは、ＳＰＳ開始情報が受信されたＰＤＳＣＨに対応する参照信号と同一であっても良い。一実施形態では、仮想セル同一性は、スクランブリング同一性に基づき、複数の仮想セル同一性の中から選択される。
【００７４】
一実施形態では、参照信号コンポーネント４０６は、物理層より上のシグナリングにより通信されるパラメータ又は値に基づき、参照信号シーケンスを決定する。例えば、参照信号コンポーネント４０６は、ＲＲＣシグナリングを用いて構成されるスクランブリング同一性値（ｎＳＣＩＤ）及び／又はセル同一性
【００７５】
【数１７】
2020120378.tif 000022
に基づき、参照信号を決定しても良い。一実施形態では、仮想セル同一性は、スクランブリング同一性
【００７６】
【数１８】
2020120378.tif 000023
に基づき、複数の仮想セル同一性の中から選択される。
【００７７】
一実施形態では、参照信号コンポーネント４０６は、参照信号生成に必要なパラメータの所定の値に基づき、参照信号シーケンスを決定する。例えば、スクランブリング同一性及び／又は仮想セル同一性の値は、ＳＰＳ通信のために使用されるＵＥ１０２及びｅＮＢ１０６に構成され及び／又は格納されても良い。一実施形態では、仮想セル同一性は、スクランブリング同一性に基づき、複数の仮想セル同一性の中から選択される。一実施形態では、参照信号コンポーネント４０６は、初期化コンポーネント４０８のような別のコンポーネントにより決定される初期化値に基づき、参照信号シーケンスを決定する。参照信号コンポーネント４０６により決定される参照信号シーケンスは、ＰＤＳＣＨ内のデータ信号の信号推定及び復調のためにＵＥ１０２により用いられ得るＵＥ固有参照信号のためのものであっても良い。
【００７８】
初期化コンポーネント４０８は、参照信号又は参照信号シーケンスを決定又は生成するために用いられるスクランブリングシーケンスを初期化する。例えば、初期化コンポーネント４０８は、式（４）により示されるように疑似ランダムシーケンス生成器の初期値（ｃｉｎｉｔ）を決定するために用いられても良い。
【００７９】
値ｎＳＣＩＤ及び
【００８０】
【数１９】
2020120378.tif 000024
は、種々の方法で導出されても良い。例えば、初期化コンポーネント４０８は、ＳＰＳ開始情報に対応するＤＣＩからの値、ＲＲＣレイヤシグナリングを用いて構成された値、及び／又はＳＰＳ通信のための所定の値を用いてシーケンス生成器を初期化しても良い。ＳＰＳ開始情報に対応するＤＣＩは、ＤＣＩフォーマット１Ａ、２、２Ａ、２Ｂ、２Ｃ、又は２Ｄであっても良い。例えば、ＴＭ１０で、ＳＰＳ開始は、ＤＣＩフォーマット２Ｄを有するＰＤＣＣＨ通信に対応するＰＤＳＣＨ通信の中で生じても良い。一実施形態では、初期化コンポーネント４０８は、予め定められ全てのＳＰＳ通信について固定されたスクランブリング同一性値を用いてシーケンス生成器を初期化する。例えば、ｎＳＣＩＤ＝１又はｎＳＣＩＤ＝１は全てのＳＰＳ通信に対して定められても良い。一実施形態では、初期化コンポーネント４０８は、サービングセルのセル識別子（例えば、
【００８１】
【数２０】
2020120378.tif 000025
）に基づき、シーケンス生成器を初期化する。しかしながら、ＵＥ１０２がＣｏＭＰ送信メッセージを受信できるために、他の送信点に同じセル識別子を使用させる必要があっても良い。例えば、ある送信点が第１のセル識別子で初期化された参照信号を送信し、別の送信点が異なるセル識別子で初期化された参照信号を送信する場合、ＵＥ１０２は、両方の信号を受信できなくても良い。
【００８２】
一実施形態では、初期化コンポーネント４０８は、仮想セル識別子に基づきシーケンス生成器を初期化する。仮想セル識別子は、ＣｏＭＰ送信に参加する全ての送信点により用いられても良い。仮想セル識別子は、上位レイヤシグナリングに基づき構成されても良く、又はＳＰＳ通信のための固定値であっても良い。例えば、仮想セル識別子のための固定値は、全てのＳＰＳ通信について標準の中で定められても良く、又は上位レイヤシグナリングを通じて通信するＵＥ１０２若しくはｅＮＢ１０６に固有の値であっても良い。
【００８３】
ＲＲＣコンポーネント４１０は、ＲＲＣレイヤで情報を送信及び受信する。ＲＲＣコンポーネント４１０は、スクランブリング同一性、仮想セル同一性、及び／又はパラメータセット指示子（ＰＱＩ）を構成するためにｅＮＢ１０６と通信しても良い。例えば、ＲＲＣシグナリングは、ＳＰＳセッションの前にこれらの値を構成するために用いられても良く、又は将来のＳＰＳ通信の受信を構成するためにＳＰＳセッション中に提供されても良い。したがって、物理層制御シグナリングがＳＰＳ通信のために利用可能ではなくても、ＲＲＣシグナリングは、どのようにＳＰＳ通信が送信され又は受信されるかを変更するために用いられても良い。
【００８４】
信号処理コンポーネント４１２は、物理層ＰＤＳＣＨ及び／又はＰＤＣＣＨ通信を処理する。一実施形態では、信号処理コンポーネント４１２は、基準信号コンポーネント４０６により決定された基準信号シーケンスに基づき対応するＰＤＣＣＨを有しないＰＤＳＣＨを処理する。例えば、ＰＤＳＣＨは、基準信号コンポーネント４０６により決定された基準信号シーケンスに基づき信号処理コンポーネント４１２により処理される１又は複数の復調参照信号を有しても良い。
【００８５】
信号処理コンポーネント４１２は、サービング送信点からの信号を受信するための送信パラメータセットを示す（ＰＱＩのような）パラメータセット指示子に基づきＰＤＳＣＨを処理しても良い。例えば＜送信パラメータセットは、ＰＤＳＣＨ通信を受信又は処理するためのレートマッチング又は他のパラメータセットを構成しても良い。一実施形態では、信号処理コンポーネント４１２は、ＳＰＳ開始に対応するＰＤＣＣＨの中でシグナリングされたパラメータセット指示子を用いても良い。一実施形態では、信号処理コンポーネント４１２は、所定の固定値を含むパラメータセット指示子を用いても良い。例えば、パラメータセット指示子は、全てのＳＰＳ通信のために用いられる特定の値に基づいても良い。一実施形態では、信号処理コンポーネント４１２は、ＲＲＣシグナリングを介してＲＲＣコンポーネント４１０により構成されるパラメータセット指示子を用いても良い。
【００８６】
一実施形態では、信号処理コンポーネント４１２は、参照信号コンポーネント４０６及び／又は初期化コンポーネント４０８を有しても良い。したがって、信号処理コンポーネント４１２は、スクランブリング同一性、仮想セル同一性、及び／又はパラメータセット指示子に基づき、受信したＳＰＳ  ＰＤＳＣＨ通信を処理しても良い。これらの値の各々は、ＳＰＳ開始のための値、ＲＲＣシグナリングを通じて構成された値、及び／又はＳＰＳ通信のための所定の固定値に基づいても良い。
【００８７】
送信モードコンポーネント４１４は、複数の送信モードのうちの１つのためにＵＥ１０２を構成する。例えば、ＬＴＥのリリースは、異なる種類の通信モードを可能にする種々の送信モードを有する。ＬＴＥのリリース１２は、ＣｏＭＰ送信／受信を可能にするＴＭ１０を含むことが予定されている。一実施形態では、送信モードコンポーネント４１４は、ｅＮＢ１０６又は他の送信点から受信されたシグナリングに基づき、ＣｏＭＰ送信の受信のためにＵＥ１０２を構成する。ＣｏＭＰのために構成されたＵＥ１０２は、２以上の送信点により送信されるＳＰＳ通信を受信可能であっても良い。ＴＭ１０では、ＰＤＣＣＨ／ＥＰＤＣＣＨ通信は、ＤＣＩフォーマット１Ａ及び／又は２Ｄに基づき送信されるＤＣＩを有しても良い。
【００８８】
図５は、ｅＮＢ１０６の例示的なコンポーネントを示すブロック図である。ｅＮＢ１０６は、通信機コンポーネント５０２、ＳＰＳ構成コンポーネント５０４、ＣｏＭＰコンポーネント５０６、及び参照信号コンポーネント５０８を有する。一実施形態によると、ｅＮＢ１０６は、ＵＥ１０２に関連して上述したような信号及び情報を決定し送信する。一実施形態では、ｅＮＢ１０６は、上述のような信号及び情報を送信するようｅＮＢ１０６及び／又は１又は複数の送信点を構成する。
【００８９】
通信機コンポーネント５０２は、ＵＥ１０２とｅＮＢ１０６との間で送信された情報を送信し及び／又は受信する。通信機コンポーネント５０２は、ＵＥ１０２との物理通信層を制御するために、ＵＥ１０２へＰＤＣＣＨ通信を送信する。通信機コンポーネント５０２は、ＰＤＣＣＨ通信の中の情報に基づきＰＤＳＣＨ通信を送信する。一実施形態では、通信機コンポーネント５０２は、対応するＰＤＣＣＨを有しないＰＤＳＣＨを送信する。例えば、ＳＰＳセッションの構成及び／又は開始に続いて、通信機コンポーネント５０２は、対応するＰＤＣＣＨ通信を送信することなく、スケジューリングされたＰＤＳＣＨ通信を送信しても良い。
【００９０】
ＳＰＳ構成コンポーネント５０４は、ＳＰＳセッションのためにＵＥ１０２を構成する。ＳＰＳ構成コンポーネント５０４は、ＳＰＳセッションの開始情報を送信し、ＵＥ１０２への送信のために開始情報を通信機コンポーネント５０４に提供しても良い。一実施形態では、開始情報は、いつ次のＳＰＳ通信（ＳＰＳダウンリンク割り当て）が生じるかを計算するために必要なパラメータを有しても良い。
【００９１】
ＳＰＳ通信コンポーネント５０４は、ＳＰＳセッションを制御するためにＵＥ１０２へ送信されるべき追加情報を決定しても良い。例えば、ＳＰＳ構成コンポーネント５０４は、ＳＰＳセッション中に使用する、スクランブリング同一性、仮想セル同一性、及び／又はパラメータセット指示子を決定しても良い。ＳＰＳ構成コンポーネント５０４は、ＵＥ１０２に通信されるべき決定された値を通信機コンポーネント５０２に提供しても良い。例えば、スクランブリング同一性、仮想セル同一性、及び／又はパラメータセット指示子は、ＳＰＳセッションの開始前に及び／又はＳＰＳセッション中に、ＲＲＣシグナリングによりＵＥ１０２に提供されても良い。
【００９２】
ＣｏＭＰコンポーネント５０６は、ＣｏＭＰ送信／受信のためにｅＮＢ１０６及び／又はＵＥ１０２の通信モードを構成しても良い。一実施形態では、ＣｏＭＰコンポーネント５０６は、ＬＴＥにおけるＴＭ１０のためにＵＥ１０２を構成し、ＵＥ１０２がＣｏＭＰ送信を受信できるようにする。一実施形態では、ＣｏＭＰコンポーネント５０６は、別の送信点へ送信されるべき情報を決定し、ｅＮＢ１０６及び他の送信点がＵＥ１０２へ信号の送信を協調できるようにする。
【００９３】
基準信号コンポーネント５０８は、通信機コンポーネント５０２によるＵＥ１０２への送信のために、基準信号を生成する。例えば、基準信号コンポーネント５０８は、ＵＥ１０２の基準信号コンポーネント４０６と関連して上述したようなスクランブリング同一性及び／又は仮想セル同一性に基づき参照信号を生成しても良い。一実施形態では、基準信号コンポーネント５０８は、ＵＥ１０２のスクランブリング同一性及び仮想セル同一性識別子と同じ値に基づき、参照信号を生成する。例えば、参照信号コンポーネント５０８は、ＵＥ１０２の基準信号コンポーネント４０６により決定されたのと同じ参照信号シーケンスを有する参照信号を生成しても良い。
【００９４】
図６は、ＳＰＳセッション開始／構成６０２の間、及びＳＰＳセッション６０４の間に、ＵＥ１０２と１又は複数のｅＮＢ１０６との間の通信を示す通信時間系列６００である。ｅＮＢ１０６は、ＣｏＭＰ送信を用いて（例えばＴＭ１０を用いて）ＵＥ１０２への信号の送信を協調するために用いられる２以上のｅＮＢ１０６又は送信点を有しても良い。当業者は、幾つかの実施形態では単一のｅＮＢ１０６が用いられても良いことを理解するだろう。
【００９５】
ＳＰＳ開始／構成６０２は、ＳＰＳセッションのためにＵＥ１０２を構成するために、ｅＮＢ１０６がＵＥ１０２へＳＰＳ構成情報を送信するステップ６０６を有する。構成情報は、ダウンリンクＳＰＳ間隔及び／又はＨＡＲＱプロセスの数のようなダウンリンクＳＰＳ構成情報を有しても良い。ＤＣＩは、ＵＥ１０２でＳＰＳを開始するために送信される６０８。したがって、ＵＥはＤＬチャネルでメッセージを受信する準備が整う。ＤＣＩは、スクランブリング同一性ｎＳＣＩＤ及び／又はパラメータセット指示子（ＰＱＩ）を有しても良い。ＤＣＩは、ＰＤＣＣＨ通信で送信されても良い６０８。例えば、ＤＣＩは、ＳＰＳ開始ＰＤＣＣＨで送信されても良い６０８。ＵＥ１０２は、ＳＰＳセッション６０４が開始することを確認するために、ＳＰＳ構成情報及び／又はＤＣＩの受信に肯定応答しても良い６１０。
【００９６】
ＳＰＳセッション６０４の間、ｅＮＢ１０６は、対応するＰＤＣＣＨを有しない複数のＰＤＳＣＨを送信する６１２。ＰＤＳＣＨは、ＤＣＩ６０８が送信されたとき６０８のような、ＳＰＳ構成情報により示されたときに及び／又はＳＰＳが開始したサブフレーム内のＰＤＣＣＨに基づき、送信される６１２。例えば、ＰＤＳＣＨは、上述の式（５）に基づき決定されたときに送信されても良い６１２。ＵＥ１０２は、１又は複数のＳＰＳパラメータに基づき対応するＰＤＣＣＨを有しないＰＤＳＣＨを受信し及び／又は処理する。ＳＰＳパラメータは、ＳＰＳ開始／構成６０２の間にＵＥ１０２により送信された（６０６）ＤＣＩに基づき、ＲＲＣシグナリングを通じて構成された値に基づき、及び／又はＳＰＳパラメータの所定の固定値に基づき、決定されても良い。例えば、スクランブリング同一性、仮想セル同一性、及び／又はパラメータセット指示子は、上述の方法のうちの任意のもので構成されても良い。ＵＥ１０２は、これらのパラメータに基づき、対応するＰＤＣＣＨを有しないＰＤＳＣＨを受信し及び／又は処理しても良い。
【００９７】
図７は、ＳＰＳ通信を受信する方法７００を示すフローチャートである。一実施形態では、方法７００は、ＵＥ１０２又は他の無線モバイル装置により実行されても良い。一実施形態では、ＵＥ１０２は、方法７００の間にＴＭ１０のために構成される。
【００９８】
通信機コンポーネント４０２は、ＳＰＳ開始に対応するＰＤＣＣＨ／ＥＰＤＣＣＨを受信する７０２。ＰＤＣＣＨ／ＥＰＤＣＣＨはｎＳＣＩＤの値を伝達する。一実施形態では、ＰＤＣＣＨ／ＥＰＤＣＣＨはＤＣＩフォーマット２Ｄに基づきｎＳＣＩＤの値を伝達する。ＰＤＣＣＨ／ＥＰＤＣＣＨは、ＳＰＳ開始ＰＤＣＣＨ／ＥＰＤＣＣＨを有しても良い。
【００９９】
スケジューリングコンポーネント４０４は、対応するＰＤＣＣＨ／ＥＰＤＣＣＨを有しないＳＰＳ  ＰＤＳＣＨを受信するためにＤＬ割り当てを構成する７０４。ＤＬ割り当ては、７０２で受信したＳＰＳ開始に対応するＰＤＣＣＨ／ＥＰＤＣＣＨに基づき構成される７０４。例えば、スケジューリングコンポーネント４０４は、ＰＤＣＣＨ／ＥＰＤＣＣＨが受信されたサブフレームに基づき、及び／又は上位レイヤシグナリングにより送信されたＳＰＳ構成情報に基づき、ＤＬ割り当てを構成しても良い７０４。一実施形態では、スケジューリングコンポーネント４００は、上述の式（５）に基づき、リソースエレメント内のＤＬ割り当てを構成する７０４。
【０１００】
基準信号コンポーネント４０６は、ＳＰＳ  ＰＤＳＣＨに対応する参照信号シーケンスを生成する７０６。基準信号コンポーネント４０６は、ＳＰＳ開始のためのサブフレームに対応するｎＳＣＩＤの値に基づき、基準信号シーケンスを生成する７０６。例えば、ｎＳＣＩＤの値は、７０２でＳＰＳ開始サブフレーム内のＰＤＣＣＨ／ＥＰＤＣＣＨで受信された値に対応しても良い。
【０１０１】
信号処理コンポーネント４１２は、生成された参照信号シーケンスに基づき、ＳＰＳ  ＰＤＳＣＨを処理する７０８。例えば、信号処理コンポーネント４１２は、７０６で生成された参照信号シーケンスと同じシーケンスを有するＤＭ−ＲＳに基づきＳＰＳ  ＰＤＳＣＨを処理しても良い７０８。ＤＭ−ＲＳの処理に基づき、信号処理コンポーネント４１２は、ＳＰＳ  ＰＤＳＣＨ内のデータを読み出し及び／又は復調するために、ＳＰＳ  ＰＤＳＣＨを処理しても良い７０８。
【０１０２】
図８は、ＳＰＳ通信を受信する方法８００を示すフローチャートである。一実施形態では、方法８００は、ＵＥ１０２又は他の無線モバイル装置により実行されても良い。一実施形態では、ＵＥ１０２は、方法８００の間にＴＭ１０のために構成される。
【０１０３】
方法８００は開始し、通信機コンポーネント４０２は、ＰＱＩ値を伝達するＳＰＳ開始ＰＤＣＣＨ／ＥＰＤＣＣＨを受信する８０２。一実施形態では、ＳＰＳ開始ＰＤＣＣＨ／ＥＰＤＣＣＨは、ＳＰＳが開始される制御通信を有する。ＰＤＣＣＨ／ＥＰＤＣＣＨは、ＤＣＩフォーマット２ＤのようなＤＣＩフォーマットに基づくＰＱＩ値を有しても良い。ＰＱＩ値は、ＳＰＳ開始サブフレーム内のレートマッチングのために用いられても良い。  
【０１０４】
スケジューリングコンポーネント４０４は、ＳＰＳ  ＰＤＳＣＨの受信をスケジューリングする８０４。ＳＰＳ  ＰＤＳＣＨは、対応するＰＤＣＣＨを有しないＰＤＳＣＨを有する。一実施形態では、スケジューリングコンポーネント４０４は、式（５）に基づき後のサブフレーム内の１又は複数のリソースエレメントのＳＰＳ  ＰＤＳＣＨの受信をスケジューリングする８０４。
【０１０５】
信号処理コンポーネント４１２は、ＳＰＳ開始に対応するＰＱＩ値に基づき、ＳＰＳ  ＰＤＳＣＨを処理する８０６。例えば、信号処理コンポーネント４１２は、ＳＰＳ  ＰＤＳＣＨのＰＱＩ値がＳＰＳ開始のためのものと同じであるとみなしても良い。したがって、ＰＱＩ値を伝達するＳＰＳ  ＰＤＳＣＨに対応する制御信号が受信されなくても、ＵＥ１０２はＳＰＳ  ＰＤＳＣＨの中のデータを読み出すことができる。
【０１０６】
図９は、ＳＰＳ通信を提供する方法９００を示すフローチャートである。一実施形態では、方法９００は、ｅＮＢ１０６又は他のＲＮＣ若しくは送信点により実行されても良い。一実施形態では、ｅＮＢ１０６は、方法９００の間にＣｏＭＰに基づきＵＥ１０２に情報を提供する。
【０１０７】
ＣｏＭＰコンポーネント５０６は、ＣｏＭＰ送信を受信するためにＵＥ１０２を構成する９０２。例えば、ＣｏＭＰコンポーネント５０６は、ＴＭ１０のためにＵＥ１０２を構成しても良い９０２。したがって、ＵＥ１０２は、複数の送信点から同じ又は同様の信号の送信を受信できるようになる。
【０１０８】
通信機コンポーネント５０２は、第２のサブフレームで、ＳＰＳ開始制御チャネル信号を送信する９０４。ＳＰＳ開始制御チャネル信号は、ＵＥ１０２でＳＰＳを開始する。例えば、対応する制御チャネル信号を有しないでＳＰＳ共有データチャネル信号を受信するよう、ＳＰＳ開始制御チャネル信号は、ＵＥ１０２を構成しても良い。一実施形態では、ＳＰＳ開始制御チャネル信号は、ＳＰＳ開始制御チャネル信号が送信されたサブフレーム中に信号を受信するために、ＵＥ向けのＤＣＩを伝達する。例えば、ＳＰＳ開始と同じサブフレーム内のＰＤＳＣＨは、ＳＰＳ開始制御チャネル信号内のＤＣＩに基づき送信され及び／又は受信されても良い。
【０１０９】
通信機コンポーネント５０２は、第２のサブフレームの間、対応する制御チャネル信号を有しないで共有データチャネル信号を送信する９０６。通信機コンポーネント５０２は、ＳＰＳ構成コンポーネント５０４及び／又はＳＰＳ開始制御チャネル信号により決定されたＳＰＳ構成情報に基づき、共有データチャネル信号を送信する９０６。例えば、ＳＰＳ構成情報は、式（５）に基づき決定されたＲＥ及び／又はサブフレーム内の対応する制御チャネル信号を有しない共有データチャネルを送信しても良い９０８。一実施形態では、ｅＮＢ１０６は、共有データチャネル信号のサブフレームのＳＰＳ開始制御チャネル信号内のパラメータを再利用する。一実施形態では、９０６で送信された共有データチャネル信号及び／又は共有データチャネル信号と同じサブフレームに対応するＤＭ−ＲＳは、ＳＰＳ開始制御チャネルサブフレーム内のｎＳＣＩＤ及びＰＱＩのうちの１又は複数に基づき送信される。
【０１１０】
図１０は、ＳＰＳ通信を受信する方法１０００を示すフローチャートである。一実施形態では、方法１０００は、ＵＥ１０２又は他の無線モバイル装置により実行されても良い。
【０１１１】
スケジューリングコンポーネント４０４は、受信したＳＰＳ開始情報に基づき１又は複数のＳＰＳ通信をスケジューリングする１００２。例えば、スケジューリングコンポーネント４０４は、上述の式（５）に基づきＰＤＳＣＨをスケジューリングしても良い１００２。一実施形態では、ＳＰＳ通信は、それぞれ、対応する物理層制御通信を有しない物理層データ通信を有しても良い。ＳＰＳ開始情報は、ｅＮＢ１０６、別の送信点、又は複数のｅＮＢ１０６若しくは送信点から受信されても良い。
【０１１２】
通信機コンポーネント４０４は、ＳＰＳ通信を受信する１００４。ＳＰＳ通信は、（ＰＤＣＣＨ通信のような）対応する物理層制御信号を有しない（ＰＤＳＣＨの通信のような）物理層データ信号を有しても良い。例えば、ＳＰＳ通信は、ＰＤＳＣＨ情報、参照信号、及び／又は非ＰＤＣＣＨ情報を有するサブフレームを有しても良い。一実施形態によると、ＳＰＳ通信は、ＳＰＳ開始情報に基づき割り当てられる通信を有しても良い。
【０１１３】
初期化コンポーネント４０８は、固定値に基づきスクランブリングシーケンスを初期化する１００６。一実施形態では、固定値は、全てのＳＰＳ通信に用いられるスクランブリング同一性を有する。例えば、スクランブリング同一性は、全てのＳＰＳ通信についてｎＳＣＩＤ＝０又はｎＳＣＩＤ＝１の固定値を有しても良い。さらに、初期化コンポーネント４０８は、仮想セル識別子の固定値に基づき、スクランブリング初期化シーケンスを初期化しても良い１００６。別の実施形態では、仮想セル識別子の値は、サービングセル又はＵＥへのＣｏＭＰ送信に関与する他のセルのセル識別子であっても良い。或いは、仮想セル識別子は、（ＲＲＣレイヤシグナリングのような）上位レイヤシグナリングを用いる仮想セル識別子を有しても良い。
【０１１４】
参照信号コンポーネント４０６は、１００６で初期化コンポーネントにより初期化されるスクランブリングシーケンスに基づき参照信号シーケンスを生成する１００８。１００８で参照信号コンポーネント４０６により生成された参照信号シーケンスは、復調参照信号のようなＵＥ固有参照信号を有しても良い。
【０１１５】
信号処理コンポーネント４１２は、生成された参照信号シーケンスに基づき１００４で受信されたＳＰＳ通信の参照信号を処理する１０１０。一実施形態では、信号処理コンポーネント４１２は、生成された参照信号シーケンスに基づきチャネル推定又は他のチャネル属性のために参照信号を処理する。一実施形態では、信号処理コンポーネント４１２は、生成された参照信号シーケンスに基づき、（ＰＤＳＣＨのような）物理層データ信号を処理しても良い１０１０。例えば、信号処理コンポーネント４１２は、生成された参照信号に基づきダウンリンクチャネルを推定し、チャネル推定に基づきＰＤＳＣＨを処理しても良い。信号処理コンポーネント４１２は、パラメータセット指示子に基づき、ＰＤＳＣＨを処理しても良い１０１０。パラメータセット指示子は、ＳＰＳ開始情報に対応するＤＣＩに含まれる値、上位レイヤシグナリングにより構成された値、又は全てのＳＰＳ通信に用いられるパラメータセット指示子の所定値（例えば、ＰＱＩ＝０、ＰＱＩ＝１、ＰＱＩ＝２、又はＰＱＩ＝３）を有しても良い。
【０１１６】
図１１は、ＳＰＳ通信を受信する方法１１００を示すフローチャートである。一実施形態では、方法１１００は、ＵＥ１０２又は他の無線モバイル装置により実行されても良い。
【０１１７】
スケジューリングコンポーネント４０４は、ＰＤＳＣＨ通信でＳＰＳ開始情報を受信する１１０２。スケジューリングコンポーネント４０４は、ＳＰＳ開始情報に基づき対応するＰＤＣＣＨ通信を有しないＳＰＳ  ＰＤＳＣＨ通信の受信のための１又は複数のＤＬリソースエレメントを割り当てることにより、ＳＰＳのためにＵＥ１０２を構成しても良い。一実施形態では、ＰＤＳＣＨ通信は、ＤＬチャネルでの送信用にＰＤＳＣＨを割り当てるために及びＰＤＳＣＨを受信するようＵＥ１０２を構成するＤＣＩを提供するために、対応するＰＤＣＣＨ通信を有する。
【０１１８】
通信機コンポーネント４０２は、対応するＰＤＣＣＨ通信を有しないＳＰＳ  ＰＤＳＣＨ通信を受信する１１０４。例えば、通信機コンポーネント４０２は、ＳＰＳセッション中の受信のためにスケジューリングされたＳＰＳ  ＰＤＳＣＨ通信を受信しても良い１１０４。
【０１１９】
ＲＲＣコンポーネント４１０は、ＳＰＳ  ＰＤＳＣＨを受信するための１又は複数のＤＬチャネルパラメータを受信する１１０６。一実施形態では、ＲＲＣコンポーネント４１０は、スクランブリング同一性、仮想セル同一性、及び任意のＳＰＳ  ＰＤＳＣＨを受信及び／又は処理するためのパラメータセット識別子のうちの１又は複数を有するＤＬチャネルパラメータを受信する１１０６。一実施形態では、スクランブリング同一性、仮想セル同一性、及びパラメータセット識別子のうちの１又は複数は、所定の固定値又はＳＰＳ開始に対応する値であっても良い。例えば、スクランブリング同一性及び仮想セル同一性は、ＲＲＣシグナリングにより受信されても良い１１０６。一方、パラメータセット識別子は、所定の固定値を有しても良い。
【０１２０】
信号処理コンポーネント４１２は、ＲＲＣシグナリングを通じて構成されたＤＬチャネルパラメータに基づき、ＳＰＳ  ＰＤＳＣＨを処理する１１０８。例えば、信号処理コンポーネント４１２は、復調参照信号から決定されたチャネル推定に基づき、ＳＰＳ  ＰＤＳＣＨを処理しても良い１１０８。チャネル推定は、１１０６でＲＲＣシグナリングを通じて構成されたスクランブリング同一性に基づき、決定されても良い。信号処理コンポーネント４１２は、決定されたチャネル推定に基づき、ＳＰＳ  ＰＤＳＣＨを処理しても良い１１０８。同様に、信号処理コンポーネント４１２は、ＲＲＣシグナリングにより構成されたパラメータセット指示子に基づきＳＰＳ  ＰＤＳＣＨを処理しても良く１１０８、所定の固定値であり、又はＳＰＳ開始に対応する値と同じである。
【０１２１】
図１１は、ＵＥ、移動局（mobile  station：ＭＳ）、モバイル無線装置、モバイル通信装置、タブレット、ハンドセット、又は別の種類のモバイル装置のようなモバイル装置の例示を提供する。モバイル装置は、基地局（base  station：ＢＳ）、ｅＮＢ、基地局ユニット（base  band  unit：ＢＢＵ）、ＲＲＨ、リモート無線機器（remote  radio  equipment：ＲＲＥ）、中継局（relay  station：ＲＳ）、無線機器、又は別の種類のＷＷＡＮ（wireless  wide  area  network）アクセスポイントのような送信局と通信するよう構成される１又は複数のアンテナを有し得る。モバイル装置は、３ＧＰＰ  ＬＴＥ、ＷｉＭＡＸ、ＨＳＰＡ（High  Speed  Packet  Access）、Ｂｌｕｅｔｏｏｔｈ（登録商標）及びＷｉＦｉを含む少なくとも１つの無線通信規格を用いて通信するよう構成され得る。モバイル装置は、無線通信規格毎に別個のアンテナを又は複数の無線通信規格のための共有アンテナを用いて通信できる。モバイル装置は、ＷＬＡＮ（wireless  local  area  network）、ＷＰＡＮ（wireless  personal  area  network）、及び／又はＷＷＡＮ内で通信できる。
【０１２２】
図１１は、モバイル装置からの音声入力及び出力のために用いられ得るマイクロフォン及び１又は複数のスピーカも図示する。ディスプレイスクリーンは、ＬＣＤ（liquid  crystal  display）スクリーン、又はＯＬＥＤ（organic  light  emitting  diode）ディスプレイのような他の種類のディスプレイスクリーンであっても良い。ディスプレイスクリーンは、タッチスクリーンのように構成され得る。タッチスクリーンは、容量性、抵抗性、又は別の種類のタッチスクリーン技術を用いても良い。アプリケーションプロセッサ及びグラフィックプロセッサは、処理及び表示能力を提供するために内部メモリに結合され得る。不揮発性メモリポートも、ユーザに入力／出力オプションを提供するために用いられ得る。不揮発性メモリポートは、モバイル装置のメモリ容量を拡張するために用いられても良い。キーボードは、追加ユーザ入力を提供するために、モバイル装置に統合され又はモバイル装置に無線接続されても良い。仮想キーボードは、タッチスクリーンを用いて提供されても良い。
【０１２３】
＜例示的な実施形態＞
本開示は、ＳＰＳ  ＰＤＳＣＨ送信（つまり、ＰＤＣＣＨを有しないＰＤＳＣＨ）のためのＤＭ−ＲＳの使用方法を提供する。留意すべきことに、用語「ＰＤＣＣＨ」は、ここでは、レガシーＰＤＣＣＨ又はＥＰＤＣＣＨを包含する。
【０１２４】
ＴＭ１０で、ＤＭ−ＲＳシーケンス初期化のためのパラメータｎＳＣＩＤは、ＤＣＩフォーマット２Ｃにより与えられる。別のパラメータ
【０１２５】
【数２１】
2020120378.tif 000026
は、ｎＳＣＩＤの関数により決定される。
【０１２６】
【数２２】
2020120378.tif 000027
は、上位レイヤシグナリングにより構成され、ｎＳＣＩＤは
【０１２７】
【数２３】
2020120378.tif 000028
の初期化に使用したパラメータを決定する。
【０１２８】
パラメータ
【０１２９】
【数２４】
2020120378.tif 000029
は、０乃至５０３の範囲を有する仮想セルＩＤとして用いることができる。これは、物理セルＩＤに無関係なＣｏＭＰ動作を実現し得る。例えば、ＵＥはセルＢからＤＭ−ＲＳを受信でき、一方、サービングセルはセルＡである。
【０１３０】
ＤＣＩフォーマット２Ｃ又は２Ｄは、ＳＰＳ開始のために用いることができる。ＤＣＩはｎＳＣＩＤを有するので、ＵＥは、ＤＭ−ＲＳシーケンス初期化値を知ることができる。
【０１３１】
しかしながら、次のＳＰＳ  ＰＤＳＣＨ送信では、ＵＥは、ｎＳＣＩＤを伝達するＰＤＣＣＨが存在しないので、ＤＭ−ＲＳシーケンス初期化値を知らない。
【０１３２】
新しいＤＣＩシグナリングがＰＱＩのために導入され得る。例えば、以下の２つのオプションが考えられる。第１のオプションでは、ＰＱＩのための新しいＤＣＩビットが、ＴＭ１０のＤＣＩフォーマットを形成するために、ＤＣＩフォーマット２Ｃの内容に追加される。この新しいビットは、ｎＳＣＩＤと一緒に、ＰＤＳＣＨ  ＲＥマッピング及び地理的同一パラメータセットを、上位レイヤにより構成された４個のパラメータセットの中から動的に選択する。例えば、ＴＰ０ではｎＳＣＩＤ＝０及びＰＱＩ＝０、ＴＰ１ではｎＳＣＩＤ＝０及びＰＱＩ＝１、ＴＰ２ではｎＳＣＩＤ＝１及びＰＱＩ＝０、ＴＰ３ではｎＳＣＩＤ＝１及びＰＱＩ＝１、である。
【０１３３】
第２のオプションでは、ＰＱＩのための２個の新しいＤＣＩビットが、ＴＭ１０のＤＣＩフォーマットを形成するために、ＤＣＩフォーマット２Ｃの内容に追加される。例えば、ＴＰ０ではＰＱＩ＝０、ＴＰ１ではＰＱＩ＝１、ＴＰ２ではＰＱＩ＝２、ＴＰ３ではＰＱＩ＝３、である。
【０１３４】
［オプション１］
サブフレーム内に対応するＰＤＣＣＨ／ＥＰＤＣＣＨを有しないＰＤＳＣＨでは、
【０１３５】
【数２５】
2020120378.tif 000030
がＤＭ−ＲＳシーケンス生成のために用いられ、ｎＳＣＩＤはＳＰＳ開始のためにＰＤＣＣＨ内でシグナリングされる同じものを用いる（つまり、ＳＰＳ−ＲＮＴＩにより、又はＳＰＳ開始検証によるＣ−ＲＮＴＩにより）。及び／又は、同じＰＱＩは、ＳＰＳ開始のためにＰＤＣＣＨ内で与えられるようなサブフレーム内の対応するＰＤＣＣＨ／ＥＰＤＣＣＨを有しないＰＤＳＣＨについて想定できる。
【０１３６】
ＴＭ１０で構成されたＵＥは、ＵＥ固有参照信号生成のために上位レイヤによりスクランブリング同一性
【０１３７】
【数２６】
2020120378.tif 000031
により構成できる。
【０１３８】
言い換えると、シーケンス初期化のためのＤＭ−ＲＳの同じパラメータは、ＰＤＳＣＨが対応するＰＤＣＣＨ／ＥＰＤＣＣＨを有しないで送信される場合に適用される。対応するＰＤＣＣＨ／ＥＰＤＣＣＨを有しないＰＤＳＣＨのパラメータｎＳＣＩＤは、ＳＰＳ開始のためのＰＤＣＣＨ／ＥＰＤＣＣＨ内のパラメータを用いる。
【０１３９】
パラメータｎＳＣＩＤがサブフレームによって変化する場合、結果として生成されるシーケンスも相応して変化する。例えば、
【０１４０】
【数２７】
2020120378.tif 000032
が特定のサブフレーム＃ａで用いられる場合、結果として生じるＤＭ−ＲＳシーケンスは、
【０１４１】
【数２８】
2020120378.tif 000033
を用いる別のサブフレーム＃ｂのものとは異なる。これは、ＤＭ−ＲＳがセル＃Ａからサブフレーム＃ａで送信されること、及びＤＭ−ＲＳはセル＃Ｂからサブフレーム＃ｂで送信されることを意味する。これは、ＣｏＭＰ送信では望ましくない動作である。したがって、ＵＥが同じＴＰからＳＰＳ−ＰＤＳＣＨを受信するためには、ＳＰＳ開始のためのサブフレーム内のＤＭ−ＲＳシーケンスは、ＳＰＳ−ＰＤＳＣＨ（つまり、対応するＰＤＣＣＨを有しないＰＤＳＣＨ）のサブフレーム内のものと同じである必要がある。
【０１４２】
［オプション２］
サブフレーム内に対応するＰＤＣＣＨ／ＥＰＤＣＣＨを有しないＰＤＳＣＨでは、
【０１４３】
【数２９】
2020120378.tif 000034
がＤＭ−ＲＳシーケンス生成のために用いられ、ｎＳＣＩＤは０又は１のような固定値である（つまり、ｎＳＣＩＤ＝０又はｎＳＣＩＤ＝１）。及び／又は、サービングセル（又は
【０１４４】
【数３０】
2020120378.tif 000035
を有するセル）と同じＰＱＩが、サブフレーム内に対応するＰＤＣＣＨ／ＥＰＤＣＣＨを有しないＰＤＳＣＨに対して想定できる。言い換えると、サブフレーム内にＰＤＳＣＨのためのＰＤＣＣＨが存在しない場合、ＵＥはｎＳＣＩＤ＝０（又はｎＳＣＩＤ＝１）及び  
【０１４５】
【数３１】
2020120378.tif 000036
を想定するだろう。及び／又は、ＰＱＩ＝０（はサービングセルであっても良い）。
【０１４６】
［オプション３］
サブフレーム内に対応するＰＤＣＣＨ／ＥＰＤＣＣＨを有しないＰＤＳＣＨでは、
【０１４７】
【数３２】
2020120378.tif 000037
及びｎＳＣＩＤの所定の値は、ＤＭ−ＲＳシーケンス生成のために用いられる。及び／又は、対応するＰＤＣＣＨ／ＥＰＤＣＣＨを有しないＰＤＳＣＨについて想定されるべきＰＱＩは、予め定めることができる。例えば、
【０１４８】
【数３３】
2020120378.tif 000038
は、上位レイヤシグナリングにより構成され、又は予め定める（つまり、次式の通り）ことができる。
【０１４９】
【数３４】
2020120378.tif 000039
又は
【０１５０】
【数３５】
2020120378.tif 000040
値ｎＳＣＩＤは、０又は１により予め定めることができる（つまり、ｎＳＣＩＤ＝０又はｎＳＣＩＤ＝１）。及び／又は、ＰＱＩ＝０、１、２又は３。
【０１５１】
［オプション４］
ｅＮＢは、（ＳＰＳ開始を含む）全てのＳＰＳ送信について独立に｛ｎＳＣＩＤ｝又は｛ｎＳＣＩＤ及び／又は
【０１５２】
【数３６】
2020120378.tif 000041
｝を構成する。及び／又は、対応するＰＤＣＣＨ／ＥＰＤＣＣＨを有しないＰＤＳＣＨについて想定されるべきＰＱＩは、ＲＲＣシグナリングにより構成することができる。これを行うことにより、ＳＰＳセッション中に同じＴＰからの受信が保証される。
【０１５３】
さらに、以下のステートメントを定める。
【０１５４】
−ステートメント１：同じＰＱＩは、ＳＰＳ開始のためにＰＤＣＣＨ内で与えられるようなサブフレーム内の対応するＰＤＣＣＨ／ＥＰＤＣＣＨを有しないＰＤＳＣＨについて想定できる。
【０１５５】
−ステートメント２：サービングセル（又は
【０１５６】
【数３７】
2020120378.tif 000042
を有するセル）と同じＰＱＩが、サブフレーム内に対応するＰＤＣＣＨ／ＥＰＤＣＣＨを有しないＰＤＳＣＨに対して想定できる。
【０１５７】
−ステートメント３：対応するＰＤＣＣＨ／ＥＰＤＣＣＨを有しないＰＤＳＣＨについて想定されるべきＰＱＩは、予め定めることができる。
【０１５８】
上述のステートメントを前提として、本開示は、上述のオプション及び上述のステートメントの（「及び／又は」による）任意の組合せを教示する。例えば、オプション１とステートメント３の組合せとして、サブフレーム内に対応するＰＤＣＣＨ／ＥＰＤＣＣＨを有しないＰＤＳＣＨでは、
【０１５９】
【数３８】
2020120378.tif 000043
がＤＭ−ＲＳシーケンス生成のために用いられ、ｎＳＣＩＤはＳＰＳ開始のためにＰＤＣＣＨ内でシグナリングされるのと同じものを用いる（つまり、ＳＰＳ−ＲＮＴＩにより、又はＳＰＳ開始検証によるＣ−ＲＮＴＩにより）。及び／又は、対応するＰＤＣＣＨ／ＥＰＤＣＣＨを有しないＰＤＳＣＨについて想定されるべきＰＱＩは、予め定めることができる。
【０１６０】
＜例＞
以下の例は、更なる実施形態に関連する。
【０１６１】
例１は、第１のサブフレーム内で、ＳＰＳ開始に対応するＰＤＣＣＨ／ＥＰＤＣＣＨを受信するＵＥである。ＰＤＣＣＨ／ＥＰＤＣＣＨはｎＳＣＩＤの値を伝達する。ＵＥは、ＳＰＳ開始に基づき、対応するＰＤＣＣＨ／ＥＰＤＣＣＨを有しないＳＰＳ  ＰＤＳＣＨを受信するために、第２のサブフレーム内でＤＬ割り当てを構成する。ＵＥは、関連するＳＰＳ開始に対応するＰＤＣＣＨ／ＥＰＤＣＣＨから引き出されたｎＳＣＩＤを用いてＳＰＳ  ＰＤＳＣＨに対応する参照信号シーケンスを決定する。ＵＥは、第２のサブフレーム内でＳＰＳ  ＰＤＳＣＨを受信し、関連するＳＰＳ開始に対応するＰＤＣＣＨ／ＥＰＤＣＣＨから引き出されたｎＳＣＩＤを用いて第２のサブフレーム内のＳＰＳ  ＰＤＳＣＨのための参照信号シーケンスに基づきＳＰＳ  ＰＤＳＣＨを処理する。ＵＥは、ＴＭ１０のために構成される。
【０１６２】
例２では、例１のＴＭ１０は、任意で、ＣｏＭＰ送信又は受信を有し、ＰＤＳＣＨ及びＰＤＣＣＨ／ＥＰＤＣＣＨのうちの１又は複数はＣｏＭＰ送信を有する。
【０１６３】
例３で、例１−２のＵＥは、任意で、ＤＣＩフォーマットを監視するよう構成され、ｎＳＣＩＤの値は、ＤＣＩフォーマット２Ｄに従って伝達される。
【０１６４】
例４で、例１−３のＵＥは、任意で、仮想セル同一性
【０１６５】
【数３９】
2020120378.tif 000044
に基づき参照信号シーケンスを決定することにより、参照信号シーケンスを決定できる。仮想セル同一性は、ｎＳＣＩＤの値に基づき選択されても良く、ＳＰＳ開始に対応しても良い。
【０１６６】
例５で、例４の
【０１６７】
【数４０】
2020120378.tif 000045
は、物理層より上のレイヤでのシグナリングにより構成される。
【０１６８】
例６で、例１−５のＰＤＣＣＨ／ＥＰＤＣＣＨは、任意で、ＰＱＩの値を伝達できる。ＳＰＳ  ＰＤＳＣＨの処理は、ＰＱＩの値により示される送信パラメータセットに基づく処理を有しても良い。
【０１６９】
例７で、例１−６のＵＥは、任意で、ＲＲＣレイヤシグナリングに基づき構成されたＰＱＩの値により示される送信パラメータセットに基づき処理することにより、ＳＰＳ  ＰＤＳＣＨを処理できる。
【０１７０】
例８は、通信機コンポーネント、スケジューリングコンポーネント、及び信号処理コンポーネントを有するＵＥである。通信機コンポーネントは、第１のサブフレーム内で、ＳＰＳ開始ＰＤＣＣＨ／ＥＰＤＣＣＨ送信を受信するよう構成される。ＳＰＳ開始ＰＤＣＣＨ／ＥＰＤＣＣＨ送信は、ＰＱＩの値を伝達する。スケジューリングコンポーネントは、ＳＰＳ  ＰＤＳＣＨ送信の受信をスケジューリングするよう構成される。ＳＰＳ  ＰＤＳＣＨ送信は、対応するＰＤＣＣＨ／ＥＰＤＣＣＨ送信を有しないＰＤＳＣＨ送信を有する。信号処理コンポーネントは、ＳＰＳ開始に対応するＰＱＩの値に基づきＳＰＳ  ＰＤＳＣＨ送信を処理するよう構成される。ＳＰＳ  ＰＤＳＣＨは、第２のサブフレーム中に通信機コンポーネントにより受信され、ＵＥはＴＭ１０のために構成される。
【０１７１】
例９では、例８のＴＭ１０は、ＣｏＭＰ送信又は受信を有し、ＳＰＳ  ＰＤＳＣＨ及びＳＰＳ開始ＰＤＣＣＨ／ＥＰＤＣＣＨのうちの１又は複数はＣｏＭＰ送信を有する。
【０１７２】
例１０で、例８−９のＵＥは、任意で、ＤＣＩフォーマットを監視するよう構成され、ＰＱＩの値は、ＤＣＩフォーマット２Ｄに従って伝達される。
【０１７３】
例１１で、例８−１０のＳＰＳ開始ＰＤＣＣＨ／ＥＰＤＣＣＨは、スクランブリング同一性の値を更に伝達する。信号処理コンポーネントは、スクランブリング同一性の値を用いて開始される参照信号シーケンスに基づきＳＰＳ  ＰＤＳＣＨを処理しても良い。
【０１７４】
例１２で、例８−１１のＵＥは、任意で、スクランブリング同一性及び仮想セル同一性に基づき参照信号シーケンスを決定する参照信号コンポーネントを有し得る。
【０１７５】
例１３で、例８−１２のＵＥは、任意で、ＲＲＣレイヤシグナリングを用いてスクランブリング同一性及び仮想セル同一性のうちの１又は複数を構成するよう構成されるＲＲＣコンポーネントを有し得る。
【０１７６】
例１４は、ＣｏＭＰ送信のためにＵＥを構成するｅＮＢである。ｅＮＢは、第１のサブフレーム内で、ＳＰＳ開始制御チャネル信号を送信する。ＳＰＳ開始制御チャネル信号は、第１のサブフレーム内でＵＥが信号を受信するためのＤＣＩを伝達する。ｅＮＢは、ＳＰＳ開始制御チャネル信号に対応するＤＣＩに基づき、対応する制御チャネル信号を有しない共有データチャネル信号を送信する。共有データチャネル信号は、第２のサブフレーム内で送信される。
【０１７７】
例１５で、例１４のＤＣＩは、フォーマット２Ｄに基づきスクランブリング同一性（ｎＳＣＩＤ）及びＰＱＩのうちの１又は複数を伝達する。共有データチャネル信号は、ｎＳＣＩＤ及びＰＱＩのうちの１又は複数に基づき送信される。
【０１７８】
例１６は、通信機コンポーネント、初期化コンポーネント、参照信号コンポーネント、及び信号処理コンポーネントを有するモバイル無線装置である。通信機コンポーネントは、制御チャネルに対応する制御通信を有しない共有チャネルでスケジューリングされた通信を受信するよう構成される。スケジューリングされた通信は、ＣｏＭＰ送信を有する。初期化コンポーネントは、スクランブリング同一性に基づき疑似ランダムシーケンスを初期化するよう構成される。スクランブリング同一性は、所定の固定値を有する。参照信号コンポーネントは、疑似ランダムシーケンスに基づき参照信号シーケンスを決定するよう構成される。信号処理コンポーネントは、決定された参照信号シーケンスに基づき、スケジューリングされた通信に対応する復調参照信号を処理するよう構成される。
【０１７９】
例１７で、例１６の疑似ランダムシーケンスの初期化は、任意で、さらに、サービングセルのセル識別子に基づく。
【０１８０】
例１８で、例１６の疑似ランダムシーケンスの初期化は、任意で、さらに、仮想セル識別子に基づく。仮想セル識別子は、スケジューリングされた通信のための所定の固定値を有する。
【０１８１】
例１９で、例１６の疑似ランダムシーケンスは、任意で、上位レイヤシグナリングにより構成される仮想セル識別子に基づき初期化される。
【０１８２】
例２０で、例１６−１９のスケジューリングされた通信の受信は、任意で、サービング送信点から信号を受信するための送信パラメータセットを示すパラメータセット指示子に基づく受信を有する。パラメータセット指示子は、スケジューリングされた通信のための所定の固定値を有する。
【０１８３】
例２１で、例１６−２０の復調参照信号の処理は、任意で、復調参照信号のチャネルの推定（チャネル推定）を有する。信号処理コンポーネントは、任意で、チャネル推定に基づきスケジューリングされた通信を処理し得る。
【０１８４】
例２２は、ＳＰＳ処理のための方法である。方法は、第１のサブフレーム内で、ＳＰＳ開始に対応するＰＤＣＣＨ／ＥＰＤＣＣＨを受信するステップを有する。ＰＤＣＣＨ／ＥＰＤＣＣＨはｎＳＣＩＤの値を伝達する。方法は、ＳＰＳ開始に基づき、対応するＰＤＣＣＨ／ＥＰＤＣＣＨを有しないＳＰＳ  ＰＤＳＣＨを受信するために、第２のサブフレーム内でＤＬ割り当てを構成するステップを有する。方法は、関連するＳＰＳ開始に対応するＰＤＣＣＨ／ＥＰＤＣＣＨから引き出されたｎＳＣＩＤを用いてＳＰＳ  ＰＤＳＣＨに対応する参照信号シーケンスを決定するステップを更に有する。方法は、第２のサブフレーム内でＳＰＳ  ＰＤＳＣＨを受信するステップであって、関連するＳＰＳ開始に対応するＰＤＣＣＨ／ＥＰＤＣＣＨから引き出されたｎＳＣＩＤを用いて第２のサブフレーム内のＳＰＳ  ＰＤＳＣＨのための参照信号シーケンスに基づきＳＰＳ  ＰＤＳＣＨを処理する、ステップを更に有する。ＵＥは、ＴＭ１０のために構成される。
【０１８５】
例２３では、例２２のＴＭ１０は、任意で、ＣｏＭＰ送信又は受信を有し、ＰＤＳＣＨ及びＰＤＣＣＨ／ＥＰＤＣＣＨのうちの１又は複数はＣｏＭＰ送信を有する。
【０１８６】
例２４で、例２２−２３の方法は、任意で、ＤＣＩフォーマットを監視するステップを有し、ｎＳＣＩＤの値は、ＤＣＩフォーマット２Ｄに従って伝達される。
【０１８７】
例２５で、例２２−２４の方法は、任意で、仮想セル同一性
【０１８８】
【数４１】
2020120378.tif 000046
に基づき参照信号シーケンスを決定することにより、参照信号シーケンスを決定するステップを有し得る。仮想セル同一性は、ｎＳＣＩＤの値に基づき選択されても良く、ＳＰＳ開始に対応しても良い。
【０１８９】
例２６で、例２５の
【０１９０】
【数４２】
2020120378.tif 000047
は、物理層より上のレイヤでのシグナリングにより構成される。
【０１９１】
例２７で、例２２−２６のＰＤＣＣＨ／ＥＰＤＣＣＨは、任意で、ＰＱＩの値を伝達できる。ＳＰＳ  ＰＤＳＣＨの処理は、ＰＱＩの値により示される送信パラメータセットに基づく処理を有しても良い。
【０１９２】
例２８で、例２２−２７の方法は、任意で、ＲＲＣレイヤシグナリングに基づき構成されたＰＱＩの値により示される送信パラメータセットに基づき処理することにより、ＳＰＳ  ＰＤＳＣＨを処理するステップを有し得る。
【０１９３】
例２９は、ＳＰＳ処理のための方法であって、第１のサブフレーム内でＳＰＳ開始ＰＤＣＣＨ／ＥＰＤＣＣＨ送信を受信するステップを有する。ＳＰＳ開始ＰＤＣＣＨ／ＥＰＤＣＣＨ送信は、ＰＱＩの値を伝達する。方法は、ＳＰＳ  ＰＤＳＣＨ送信の受信をスケジューリングするステップを有する。ＳＰＳ  ＰＤＳＣＨ送信は、対応するＰＤＣＣＨ／ＥＰＤＣＣＨ送信を有しないＰＤＳＣＨ送信を有する。方法は、ＳＰＳ開始に対応するＰＱＩの値に基づきＳＰＳ  ＰＤＳＣＨ送信を処理するステップを有する。ＳＰＳ  ＰＤＳＣＨは、第２のサブフレーム中に受信され、ＵＥはＴＭ１０のために構成される。
【０１９４】
例３０では、例２９のＴＭ１０は、ＣｏＭＰ送信又は受信を有し、ＳＰＳ  ＰＤＳＣＨ及びＳＰＳ開始ＰＤＣＣＨ／ＥＰＤＣＣＨのうちの１又は複数はＣｏＭＰ送信を有する。
【０１９５】
例３１で、例２９−３０の方法は、任意で、ＤＣＩフォーマットを監視するステップを有し、ＰＱＩの値は、ＤＣＩフォーマット２Ｄに従って伝達される。
【０１９６】
例３２で、例２９−３１のＳＰＳ開始ＰＤＣＣＨ／ＥＰＤＣＣＨは、スクランブリング同一性の値を更に伝達する。方法は、スクランブリング同一性の値を用いて開始される参照信号シーケンスに基づきＳＰＳ  ＰＤＳＣＨを処理するステップを有しても良い。
【０１９７】
例３３で、例２９−３２の方法は、任意で、スクランブリング同一性及び仮想セル同一性に基づき参照信号シーケンスを決定するステップを有し得る。
【０１９８】
例３４で、例２９−３３の方法は、任意で、ＲＲＣレイヤシグナリングを用いてスクランブリング同一性及び仮想セル同一性のうちの１又は複数を構成するステップを有し得る。
【０１９９】
例３５は、ＳＰＳ処理のための方法であって、ＣｏＭＰ送信のためにＵＥを構成するステップを有する。方法は、第１のサブフレーム内で、ＳＰＳ開始制御チャネル信号を送信するステップを有する。ＳＰＳ開始制御チャネル信号は、第１のサブフレーム内でＵＥが信号を受信するためのＤＣＩを伝達する。方法は、ＳＰＳ開始制御チャネル信号に対応するＤＣＩに基づき、対応する制御チャネル信号を有しない共有データチャネル信号を送信するステップを有する。共有データチャネル信号は、第２のサブフレーム内で送信される。
【０２００】
例３６で、例３５のＤＣＩは、フォーマット２Ｄに基づきスクランブリング同一性（ｎＳＣＩＤ）及びＰＱＩのうちの１又は複数を伝達する。共有データチャネル信号は、ｎＳＣＩＤ及びＰＱＩのうちの１又は複数に基づき送信される。
【０２０１】
例３７は、ＳＰＳ処理のための方法であって、制御チャネルに対応する制御通信を有しない共有チャネルでスケジューリングされた通信を受信するステップを有する。スケジューリングされた通信は、ＣｏＭＰ送信を有する。方法は、スクランブリング同一性に基づき疑似ランダムシーケンスを初期化するステップを有する。スクランブリング同一性は、所定の固定値を有する。方法は、疑似ランダムシーケンスに基づき参照信号シーケンスを決定するステップを有する。方法は、決定された参照信号シーケンスに基づきスケジューリングされた通信に対応する復調参照信号を処理するステップを更に有する。
【０２０２】
例３８で、例３７の疑似ランダムシーケンスの初期化は、任意で、さらに、サービングセルのセル識別子に基づく。
【０２０３】
例３９で、例３７の疑似ランダムシーケンスの初期化は、任意で、さらに、仮想セル識別子に基づく。仮想セル識別子は、スケジューリングされた通信のための所定の固定値を有する。
【０２０４】
例４０で、例３９の疑似ランダムシーケンスは、任意で、上位レイヤシグナリングにより構成される仮想セル識別子に基づき初期化される。例４１で、例３７−４０のスケジューリングされた通信を受信するステップは、任意で、サービング送信点から信号を受信するための送信パラメータセットを示すパラメータセット指示子に基づき受信するステップを有し得る。パラメータセット指示子は、スケジューリングされた通信のための所定の固定値を有する。
【０２０５】
例４２で、例３７−４１の復調参照信号を処理するステップは、任意で、復調参照信号のチャネルを推定するステップ（チャネル推定）を有する。信号処理コンポーネントは、任意で、チャネル推定に基づきスケジューリングされた通信を処理し得る。
【０２０６】
例４３は、例２２−４２のいずれかの方法を実行する手段を有する装置である。
【０２０７】
例４４は、実行されると、例２７−４３の何れかの方法を実装し又は装置を実現する機械可読命令を有数ｒ機械可読記憶装置である。
【０２０８】
上述の技術は、ソフトウェア及び／又はファームウェアによりプログラミングされ又は構成されるプログラマブル回路により実装できる。或いは、それらは、完全に特定目的ハードウェア回路により、又はそのような形式の組合せで実装できる。このような特定目的回路は（必要ならば）、例えば、１又は複数のＡＳＩＣ（application−specific  integrated  circuit）、ＰＬＤ（programmable  logic  device）、ＰＦＧＡ（field−programmable  gate  array）、等のうちの１又は複数の形式であり得る。
【０２０９】
本願明細書で紹介した技術を実装するソフトウェア又はファームウェアは、機械可読記憶媒体に格納されても良く、１又は複数の汎用目的又は特定目的プログラマブルマイクロプロセッサにより実行されても良い。用語「機械可読媒体」は、本願明細書で用いられるとき、機械によりアクセス可能な形式で情報を格納できる任意のメカニズムを含む（機械は、例えば、コンピュータ、ネットワーク装置、携帯電話機、ＰＤＡ、製造ツール、１又は複数のプロセッサを有する任意の装置、等であっても良い）。例えば＜機械アクセス可能な媒体は、記録可能／非記録可能媒体（例えば、ＲＯＭ（read  only  memory）、ＲＡＭ（random  access  memory）、磁気ディスク記憶媒体、光記憶媒体、フラッシュメモリ装置、等）を含む。
【０２１０】
用語「ロジック」は、本願明細書で用いられるとき、例えば、特定目的配線回路、プログラマブル回路と関連するソフトウェア及び／又はファームウェア、又はそれらの組合せを含み得る。
【０２１１】
本開示は、特定の例示的な実施形態への参照を含むが、請求項は、記載の実施形態に限定されないこと、添付の請求項の精神及び範囲の中で修正及び変更を伴い実施できることが理解されるだろう。したがって、本明細書と添付図面は限定的ではなく例示的であると解釈すべきである。
【０２１２】
種々の技術又はその特定の態様若しくは部分は、フロッピー（登録商標）ディスク、ＣＤ−ＲＯＭ、ハードドライブ、非一時的コンピュータ可読記憶媒体、又は任意の他の機械可読記憶媒体のような有形媒体に具現化されるプログラムコード（つまり、命令）の形式をとっても良く、プログラムコードがコンピュータのような機械に読み込まれ実行されると、該機械は、種々の技術を実施するための装置になる。プログラム可能なコンピュータでプログラムコードが実行される場合、コンピューティング装置は、プロセッサ、該プロセッサにより読み取り可能な記憶媒体（揮発性及び不揮発性メモリ、及び／又は記憶素子を含む）、少なくとも１つの入力装置、及び少なくとも１つの出力装置を含んでも良い。揮発性及び不揮発性メモリ及び／又は記憶素子は、ＲＡＭ、ＥＰＲＯＭ、フラッシュドライブ、光ドライブ、磁気ハードドライブ、又は電子データを格納する他の媒体であっても良い。ｅＮＢ（又は他の基地局）及びＵＥ（又は他の移動局）は、通信機コンポーネント、カウンタコンポーネント、処理コンポーネント、及び／又はクロックコンポーネント若しくはタイマコンポーネントを有しても良い。ここに記載した種々の技術を実施し又は利用し得る１又は複数のプログラムは、ＡＰＩ（application  programming  interface）、再利用可能制御、等を用いても良い。このようなプログラムは、コンピュータシステムと通信するために、高度な手続き又はオブジェクト指向プログラミング言語で実装されても良い。しかしながら、プログラムは、望ましい場合には、アセンブラ又は機械語で実装されても良い。いずれの場合にも、言語は、コンパイルされた又はインタープリットされた言語であっても良く、ハードウェア実装と結合されても良い。
【０２１３】
理解されるべきことに、本願明細書に記載の機能ユニットの多くは、１又は複数のコンポーネントとして実装されても良い。１又は複数のコンポーネントは、それらの実装の独立性を特に強調するために用いられる用語である。例えば、コンポーネントは、カスタムＶＬＳＩ回路又はゲートアレイ、ロジックチップ、トランジスタ若しくは他の個別部品のようなオフザシェルフ（off−the−shelf）半導体を有するハードウェア回路として実装されても良い。コンポーネントは、フィールドプログラマブルゲートアレイ、プログラマブルアレイロジック、プログラマブルロジックデバイス、等のようなプログラマブルハードウェア素子内に実装されても良い。
【０２１４】
コンポーネントは、種々の種類のプロセッサにより実行されるソフトウェアで実装されても良い。例えば、実行可能コードの識別されるコンポーネントは、例えばオブジェクト、プロシジャ又は関数として編成され得るコンピュータ命令の１又は複数の物理又は論理ブロックを有しても良い。しかしながら、識別されるコンポーネントの実行ファイルは、物理的に一緒に配置される必要はなく、論理的に一緒にされるとコンポーネントを有しコンポーネントの提示される目的を達成する異なる場所に格納される別個の命令を有しても良い。
【０２１５】
実際に、実行可能コードのコンポーネントは、単一命令又は多くの命令であっても良く、幾つかの異なるコードセグメントに渡り、異なるプログラムの間で、及び幾つかのメモリ装置に渡り分散されても良い。同様に、運用データは、ここにコンポーネント内で識別され示され、任意の適切な形式で実装され、任意の適切な種類のデータ構造で編成されても良い。運用データは、単一データセットとして集められても良く、異なる記憶装置に渡ることを含む異なる場所に渡り分散されても良く、少なくとも部分的にシステム又はネットワーク上の電子信号として単に存在しても良い。コンポーネントは、所望の機能を実行するよう動作するエージェントを含み、受動的又は能動的であっても良い。
【０２１６】
本願明細書を通じて「一例」という言及は、その例と関連して記載された特定の特徴、構造、機能又は特性が本開示の少なくとも１つの実施形態に含まれることを意味する。したがって、本願明細書を通じて種々の場所にある「一例では」という表現は、必ずしも全て同じ実施形態を参照していない。
【０２１７】
ここで用いられるように、複数の用語、構造的要素、組成要素、及び／又は材料は、便宜のために共通のリストに現れ得る。しかしながら、これらのリストは、該リストの各構成要素が別個の及びユニークな構成要素として個々に識別されるものと考えられるべきである。したがって、このようなリストのいかなる個々の構成要素も、断りのない限り、事実上、共通グループ内での出現に基づき同じリストの任意の他の構成要素の等価物として考えられるべきである。さらに、本開示の種々の実施形態及び例は、その種々の成分の代替物とともにここで言及されても良い。理解されるべきことに、このような実施形態、例、及び代替は、事実上互いの等価物として考えられるべきではないが、本開示の別個の及び自主的表現として考えられるべきである。
【０２１８】
以上は、明確さのために、少し詳しく記載したが、特定の変化及び修正がそれらの原理から逸脱することなく行われても良いことが明らかである。留意すべきことに、本願明細書に記載の処理及び装置の両方を実装する多くの代替の方法が存在する。したがって、本発明の実施形態は、説明のためであり限定のためではない。また、本開示は、本願明細書で与えた詳細事項を限定するものではなく、添付の請求項の範囲及び等価物の範囲内で変更されても良い。
【０２１９】
当業者は、本開示の基礎的な原理から逸脱することなく、上述の実施形態の詳細事項に対して多くの変更が行われ得ることを理解するだろう。したがって、本開示の範囲は、以下の請求項によってのみ定められるべきである。
【図１】
2020120378.tif 000048
【図２Ａ】
2020120378.tif 000049
【図２Ｂ】
2020120378.tif 000050
【図２Ｃ】
2020120378.tif 000051
【図３】
2020120378.tif 000052
【図４】
2020120378.tif 000053
【図５】
2020120378.tif 000054
【図６】
2020120378.tif 000055
【図７】
2020120378.tif 000056
【図８】
2020120378.tif 000057
【図９】
2020120378.tif 000058
【図１０】
2020120378.tif 000059
【図１１】
2020120378.tif 000060
【図１２】
2020120378.tif 000061
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
第１のサブフレーム内で、半永続的スケジューリング（ＳＰＳ：semi−persistent  scheduling）開始に対応する下り物理制御チャネル（ＰＤＣＣＨ：physical  downlink  control  channel）又は拡張型下り物理制御チャネル（ＥＰＤＣＣＨ：enhanced  physical  downlink  control  channel）を受信する手段と、
前記ＳＰＳ開始に基づき、第２のサブフレーム内でダウンリンク（ＤＬ）割り当てを構成する手段と、
前記第２のサブフレーム内で、対応のＰＤＣＣＨ又はＥＰＤＣＣＨ無しに、ＳＰＳ向け下り物理制御チャネル（ＰＤＳＣＨ：SPS  physical  downlink  shared  channel）を受信する手段と、
を備えたユーザ装置であって、
前記第１のサブフレーム内の前記ＰＤＣＣＨ又はＥＰＤＣＣＨは、ＳＰＳ通信に用いられるスクランブリング同一性の値（ｎＳＣＩＤ）を伝達し、
関連するＳＰＳ開始に対応する前記ＰＤＣＣＨ又はＥＰＤＣＣＨから得られる前記ｎＳＣＩＤを用いて、前記ＳＰＳ向けＰＤＳＣＨに対応した参照信号シーケンスを決定し、
前記関連するＳＰＳ開始に対応する前記ＰＤＣＣＨ又はＥＰＤＣＣＨから得られる前記値（ｎＳＣＩＤ）を用いて決定された前記参照信号シーケンスに基づき、前記ＳＰＳ向けＰＤＳＣＨを処理する、
ことを特徴とした、ユーザ装置。
【請求項２】
前記ユーザ装置は、ＣｏＭＰ（coordinated  multipoint）送信又は受信のための送信モード１０のために構成され、
前記ＰＤＳＣＨ、及び前記関連するＳＰＳ開始に対応する前記ＰＤＣＣＨ又はＥＰＤＣＣＨの１つ以上はＣｏＭＰ通信を含む、請求項１に記載のユーザ装置。
【請求項３】
前記ユーザ装置は、ダウンリンク制御情報（ＤＣＩ）フォーマットを監視するよう更に構成され、前記値（ｎＳＣＩＤ）は、２Dフォーマットのダウンリンク制御情報において伝達される、請求項１に記載のユーザ装置。
【請求項４】
前記参照信号シーケンスを決定するために、前記ユーザ装置は、
前記値（ｎＳＣＩＤ）に基づいて選択され且つ前記ＳＰＳ開始に対応する仮想セル同一性
2020120378.tif 000062
に基づき、前記参照信号シーケンスを生成するよう構成されている、請求項１に記載のユーザ装置。
【請求項５】
前記仮想セル同一性
2020120378.tif 000063
は、物理層より上の層におけるシグナリングにより構成される、請求項４に記載のユーザ装置。
【請求項６】
前記関連するＳＰＳ開始に対応する前記ＰＤＣＣＨ又はＥＰＤＣＣＨは、更に、ＰＤＳＣＨリソースエレメント（ＲＥ）マッピング及び地理的同一指示子（ＰＱＩ）の値を伝達し、
前記ユーザ装置は、前記ＰＱＩの値により示される送信パラメータセットに基づき前記ＳＰＳ  ＰＤＳＣＨを処理するよう構成されている、請求項１に記載のユーザ装置。
【請求項７】
ＰＤＳＣＨリソースエレメント（ＲＥ）マッピング及び地理的同一指示子（ＰＱＩ）の値により示される送信パラメータセットに基づき、前記ＳＰＳ向けＰＤＳＣＨを処理するよう更に構成され、前記ＰＱＩの値は、ＲＲＣレイヤシグナリングに基づき構成されている、請求項１に記載の装置。
【請求項８】
第１のサブフレーム内で、半永続的スケジューリング（ＳＰＳ：semi−persistent  scheduling）開始に対応する下り物理制御チャネル（ＰＤＣＣＨ：physical  downlink  control  channel）又は拡張型下り物理制御チャネル（ＥＰＤＣＣＨ：enhanced  physical  downlink  control  channel）を受信するステップと、
前記ＳＰＳ開始に基づき、第２のサブフレーム内でダウンリンク（ＤＬ）割り当てを構成するステップと、
前記第２のサブフレーム内で、対応のＰＤＣＣＨ又はＥＰＤＣＣＨ無しに、ＳＰＳ向け下り物理制御チャネル（ＰＤＳＣＨ：SPS  physical  downlink  shared  channel）を受信するステップと、
を含むユーザ装置における無線通信のための方法であって、
前記第１のサブフレーム内の前記ＰＤＣＣＨ又はＥＰＤＣＣＨは、ＳＰＳ通信に用いられるスクランブリング同一性の値（ｎＳＣＩＤ）を伝達し、
関連するＳＰＳ開始に対応する前記ＰＤＣＣＨ又はＥＰＤＣＣＨから得られる前記ｎＳＣＩＤを用いて、前記ＳＰＳ向けＰＤＳＣＨに対応した参照信号シーケンスを決定し、
前記関連するＳＰＳ開始に対応する前記ＰＤＣＣＨ又はＥＰＤＣＣＨから得られる前記値（ｎＳＣＩＤ）を用いて決定された前記参照信号シーケンスに基づき、前記ＳＰＳ向けＰＤＳＣＨを処理する、
ことを特徴とした、方法。
【請求項９】
前記ユーザ装置は、ＣｏＭＰ（coordinated  multipoint）送信又は受信のための送信モード１０のために構成され、
前記ＰＤＳＣＨ、及び前記関連するＳＰＳ開始に対応する前記ＰＤＣＣＨ又はＥＰＤＣＣＨの１つ以上はＣｏＭＰ通信を含む、請求項８に記載の方法。
【請求項１０】
ダウンリンク制御情報（ＤＣＩ）フォーマットを監視することを更に含み、前記値（ｎＳＣＩＤ）は、２Dフォーマットのダウンリンク制御情報において伝達される、請求項８に記載の方法。
【請求項１１】
前記参照信号シーケンスを決定することは、前記ユーザ装置が、
前記値（ｎＳＣＩＤ）に基づいて選択され且つ前記ＳＰＳ開始に対応する仮想セル同一性
2020120378.tif 000064
に基づき、前記参照信号シーケンスを生成するよう構成されている、請求項８に記載の方法。
【請求項１２】
前記仮想セル同一性
2020120378.tif 000065
は、物理層より上の層におけるシグナリングにより構成される、請求項１１に記載の方法。
【請求項１３】
前記関連するＳＰＳ開始に対応する前記ＰＤＣＣＨ又はＥＰＤＣＣＨは、更に、ＰＤＳＣＨリソースエレメント（ＲＥ）マッピング及び地理的同一指示子（ＰＱＩ）の値を伝達し、
前記ユーザ装置が前記ＰＱＩの値により示される送信パラメータセットに基づき前記ＳＰＳ  ＰＤＳＣＨを処理することを更に含む、請求項８に記載の方法。
【請求項１４】
ＰＤＳＣＨリソースエレメント（ＲＥ）マッピング及び地理的同一指示子（ＰＱＩ）の値により示される送信パラメータセットに基づき、前記ＳＰＳ向けＰＤＳＣＨを処理することを更に含み、前記ＰＱＩの値は、ＲＲＣレイヤシグナリングに基づき構成されている、請求項８に記載の方法。
【請求項１５】
請求項１−７の何れか１項に記載のユーザ装置、又は請求項８−１４の何れか１項に記載の方法をプロセッサに実現させるための指令を記憶したコンピュータプログラム。
【請求項１６】
請求項１５に記載のコンピュータプログラムを記憶したコンピュータ読み取り可能な記憶媒体。
【外国語明細書】
2020120378000001.pdf